(57)【特許請求の範囲】
【請求項１】
セルラー通信ネットワーク（１０）における無線アクセスノード（１２）の動作の方法であって、
ワイヤレスデバイス（１８）によって使用されるべきリッスンビフォアトーク（ＬＢＴ）セルのためのアップリンクＬＢＴのためのタイミングアドバンス（ＴＡ）の指示を送信すること（１０２、１０２Ａ、１０２Ｂ、１０２Ｃ）
を備え、
アップリンクＬＢＴのための前記ＴＡは、前記ワイヤレスデバイス（１８）によって実施されるアップリンクＬＢＴプロシージャについてのアップリンクＬＢＴ持続時間の少なくとも一部が、前記ＬＢＴセルを提供する無線アクセスノード（１２）と前記ワイヤレスデバイス（１８）との間の一方向伝搬遅延（Ｔ１）内に入るようなものである、方法。
【請求項２】
前記ＬＢＴセルのためのアップリンクＬＢＴのための前記ＴＡが、前記ＬＢＴセルのためのアップリンクＬＢＴとアップリンク送信の両方のためのＴＡである、請求項１に記載の方法。
【請求項３】
前記ワイヤレスデバイス（１８）に、前記ＬＢＴセル上のアップリンク送信のためのＴＡの指示を送ること（１０２、１０２Ａ、１０２Ｂ、１０２Ｃ）をさらに備える、請求項１または２に記載の方法。
【請求項４】
前記ＬＢＴセルを提供する無線アクセスノード（１２）と前記ワイヤレスデバイス（１８）との間の一方向伝搬遅延（Ｔ１）に基づいて、前記ＬＢＴセルのためのアップリンクＬＢＴのための前記ＴＡを決定すること（１００）をさらに備え、アップリンクＬＢＴのための前記ＴＡが、（ａ）２Ｔ１よりも大きく、（ｂ）前記ワイヤレスデバイス（１８）のダウンリンクタイミングに関係する、請求項１から３のいずれか一項に記載の方法。
【請求項５】
アップリンクＬＢＴのための前記ＴＡを決定すること（１００）が、前記一方向伝搬遅延（Ｔ１）と、前記ＬＢＴセル上のアップリンクＬＢＴプロシージャを実施するために必要とされる時間量とに基づいて、アップリンクＬＢＴのための前記ＴＡを決定すること（１００）を備え、アップリンクＬＢＴのための前記ＴＡが、２Ｔ１＋前記ＬＢＴセル上のアップリンクＬＢＴプロシージャを実施するために必要とされる前記時間量よりも大きいかまたはそれに等しい、請求項４に記載の方法。
【請求項６】
前記ＬＢＴセル上のダウンリンクバーストの最後のダウンリンクサブフレームが、部分ダウンリンクサブフレームに対応する、持続時間の使用される部分Ｄｕｓｅｄと、前記部分ダウンリンクサブフレームの後に発生する、持続時間の使用されない部分Ｄｕｎｕｓｅｄとからなり、
アップリンクＬＢＴのための前記ＴＡを決定すること（１００）が、（ａ）前記一方向伝搬遅延（Ｔ１）と、（ｂ）前記ＬＢＴセル上のアップリンクＬＢＴプロシージャを実施するために必要とされる時間量と、（ｃ）Ｄｕｎｕｓｅｄとに基づいて、アップリンクＬＢＴのための前記ＴＡを決定すること（１００）を備え、アップリンクＬＢＴのための前記ＴＡが、２Ｔ１＋アップリンクＬＢＴプロシージャを実施するために必要とされる前記時間量よりも大きいかまたはそれに等しく、Ｄｕｎｕｓｅｄよりも小さいかまたはそれに等しい、
請求項４に記載の方法。
【請求項７】
アップリンクＬＢＴのための前記ＴＡは、前記ワイヤレスデバイス（１８）によって実施されるアップリンクＬＢＴプロシージャについてのアップリンクＬＢＴ持続時間が、前記ＬＢＴセル上のダウンリンクバースト中の最後の部分ダウンリンクサブフレームの終端の、前記ワイヤレスデバイス（１８）における受信の後に開始する時間期間内に入るようなものである、請求項１から３のいずれか一項に記載の方法。
【請求項８】
アップリンクＬＢＴのための前記ＴＡは、前記ワイヤレスデバイス（１８）によって実施されるアップリンクＬＢＴプロシージャについてのアップリンクＬＢＴ持続時間が、
前記ＬＢＴセル上のダウンリンクバースト中の最後の部分ダウンリンクサブフレームの終端の、前記ワイヤレスデバイス（１８）における受信の後に開始し、
前記アップリンクＬＢＴプロシージャの結果が、前記ＬＢＴセルのためのアップリンクチャネルがクリアであることである場合、前記ワイヤレスデバイス（１８）による所望のアップリンク送信が始まるべき時間に終了する、
時間期間内に入るようなものである、請求項１から３のいずれか一項に記載の方法。
【請求項９】
前記ワイヤレスデバイス（１８）による前記所望のアップリンク送信が始まるべき前記時間が、前記ＬＢＴセル上のアップリンク送信のための別個のＴＡによって規定される、請求項８に記載の方法。
【請求項１０】
アップリンクＬＢＴのための前記ＴＡが、前記ＬＢＴセルを提供する無線アクセスノード（１２）と前記ワイヤレスデバイス（１８）との間の一方向伝搬遅延（Ｔ１）＋前記ＬＢＴセル上のダウンリンクバースト中の最後のダウンリンクサブフレームの持続時間Ｄに等しく、アップリンクＬＢＴのための前記ＴＡが、前記ワイヤレスデバイス（１８）のダウンリンク受信タイミングに関係する、請求項１から３のいずれか一項に記載の方法。
【請求項１１】
アップリンクＬＢＴのための前記ＴＡは、前記ワイヤレスデバイス（１８）によって実施される前記アップリンクＬＢＴプロシージャについての前記アップリンクＬＢＴ持続時間の前記少なくとも一部が、前記ＬＢＴセルを提供する無線アクセスノード（１２）と前記ワイヤレスデバイス（１８）との間の一方向伝搬遅延（Ｔ１）に等しい持続時間を有する時間期間内に入るようなものであり、前記時間期間が、前記ＬＢＴセルを提供する前記無線アクセスノード（１２）における前記ＬＢＴセル上のダウンリンクバースト中の最後のダウンリンクサブフレームの送信の時間に開始し、前記ワイヤレスデバイス（１８）における前記ＬＢＴセル上の前記ダウンリンクバースト中の前記最後のダウンリンクサブフレームの受信の時間に終了する、請求項１から３のいずれか一項に記載の方法。
【請求項１２】
アップリンクＬＢＴのための前記ＴＡが、Ｄ＋Ｔ１に等しく、Ｄが、前記ＬＢＴセル上の前記ダウンリンクバースト中の前記最後のダウンリンクサブフレームの持続時間である、請求項１１に記載の方法。
【請求項１３】
前記ダウンリンクバースト中の前記最後のダウンリンクサブフレームが、前記ワイヤレスデバイス（１８）による所望のアップリンク送信の直前の最後のダウンリンクサブフレームであり、前記ワイヤレスデバイス（１８）が、前記最後のダウンリンクサブフレームにおけるデータ受信についてスケジュールされない、請求項１２に記載の方法。
【請求項１４】
前記ダウンリンクバースト中の前記最後のダウンリンクサブフレームが、前記ワイヤレスデバイス（１８）による所望のアップリンク送信の直前の最後のダウンリンクサブフレームであり、
前記ワイヤレスデバイス（１８）が、前記最後のダウンリンクサブフレームにおけるデータ受信についてスケジュールされ、
前記ワイヤレスデバイス（１８）は、前記ワイヤレスデバイス（１８）における前記ダウンリンクバーストの受信が完了するまで、成功したアップリンクＬＢＴを前提とする、アップリンク送信を始めない、
請求項１２に記載の方法。
【請求項１５】
前記ＬＢＴセルのためのアップリンクＬＢＴのための前記ＴＡの前記指示を送ること（１０２）が、第１のキャリア上の前記ＬＢＴセルのためのアップリンクＬＢＴのための前記ＴＡの前記指示を送ること（１０２）を備え、
前記ＬＢＴセルが、前記第１のキャリアとは異なる第２のキャリア上にある、
請求項１１に記載の方法。
【請求項１６】
アップリンクＬＢＴのための前記ＴＡが、Ｄ＋Ｔ１に等しく、Ｄが、前記ＬＢＴセル上の前記ダウンリンクバースト中の前記最後のダウンリンクサブフレームの持続時間である、請求項１５に記載の方法。
【請求項１７】
アップリンクＬＢＴのための前記ＴＡは、前記ワイヤレスデバイス（１８）によって実施されるアップリンクＬＢＴプロシージャについてのアップリンクＬＢＴ持続時間が、前記ＬＢＴセル上のダウンリンクバースト中の最後から２番目のダウンリンクサブフレーム中の時間ギャップに対応する時間期間内に入るようなものである、請求項１に記載の方法。
【請求項１８】
セルラー通信ネットワーク（１０）のための無線アクセスノード（１２）であって、請求項１から１７に記載の方法のうちのいずれか１つに従って動作するように適応された、無線アクセスノード（１２）。
【請求項１９】
セルラー通信ネットワーク（１０）におけるワイヤレスデバイス（１８）の動作の方法であって、
無線アクセスノード（１２）から、リッスンビフォアトーク（ＬＢＴ）セルのためのアップリンクＬＢＴのためのタイミングアドバンス（ＴＡ）の指示を受信すること（１０４）と、
アップリンクＬＢＴのための前記ＴＡに従って前記ＬＢＴセルのためのアップリンクＬＢＴプロシージャを実施すること（１０８）と
を備え、
アップリンクＬＢＴのための前記ＴＡは、前記ワイヤレスデバイス（１８）によって実施される前記アップリンクＬＢＴプロシージャについてのアップリンクＬＢＴ持続時間の少なくとも一部が、前記ＬＢＴセルを提供する無線アクセスノード（１２）と前記ワイヤレスデバイス（１８）との間の一方向伝搬遅延（Ｔ１）内に入るようなものである、方法。
【請求項２０】
前記無線アクセスノード（１２）から、前記ＬＢＴセル上のアップリンク送信のための別個のＴＡの指示を受信すること（１０４）をさらに備える、請求項１９に記載の方法。
【請求項２１】
アップリンクＬＢＴのための前記ＴＡは、前記ワイヤレスデバイス（１８）によって実施される前記アップリンクＬＢＴプロシージャについてのアップリンクＬＢＴ持続時間が、前記ＬＢＴセル上のダウンリンクバースト中の最後の部分ダウンリンクサブフレームの終端の、前記ワイヤレスデバイス（１８）における受信の後に開始する時間期間内に入るようなものである、請求項１９または２０に記載の方法。
【請求項２２】
アップリンクＬＢＴのための前記ＴＡは、前記ワイヤレスデバイス（１８）によって実施される前記アップリンクＬＢＴプロシージャについてのアップリンクＬＢＴ持続時間が、
前記ＬＢＴセル上のダウンリンクバースト中の最後の部分ダウンリンクサブフレームの終端の、前記ワイヤレスデバイス（１８）における受信の後に開始し、
前記アップリンクＬＢＴプロシージャの結果が、前記ＬＢＴセルのためのアップリンクチャネルがクリアであることである場合、前記ワイヤレスデバイス（１８）による所望のアップリンク送信が始まるべき時間に終了する、
時間期間内に入るようなものである、請求項２０に記載の方法。
【請求項２３】
前記ワイヤレスデバイス（１８）による前記所望のアップリンク送信が始まるべき前記時間が、前記ＬＢＴセル上のアップリンク送信のための前記別個のＴＡによって規定される、請求項２２に記載の方法。
【請求項２４】
アップリンクＬＢＴのための前記ＴＡは、前記ワイヤレスデバイス（１８）によって実施される前記アップリンクＬＢＴプロシージャについての前記アップリンクＬＢＴ持続時間の少なくとも一部が、前記ＬＢＴセルを提供する前記無線アクセスノード（１２）と前記ワイヤレスデバイス（１８）との間の前記一方向伝搬遅延（Ｔ１）に等しい持続時間を有する時間期間内に入るようなものであり、前記時間期間が、前記ＬＢＴセルを提供する前記無線アクセスノード（１２）における前記ＬＢＴセル上のダウンリンクバースト中の最後のダウンリンクサブフレームの送信の時間に開始し、前記ワイヤレスデバイス（１８）における前記ＬＢＴセル上の前記ダウンリンクバースト中の前記最後のダウンリンクサブフレームの受信の時間に終了する、請求項１９または２０に記載の方法。
【請求項２５】
アップリンクＬＢＴのための前記ＴＡが、Ｄ＋Ｔ１に等しく、Ｄが、前記ＬＢＴセル上の前記ダウンリンクバースト中の前記最後のダウンリンクサブフレームの持続時間である、請求項２４に記載の方法。
【請求項２６】
前記ダウンリンクバースト中の前記最後のダウンリンクサブフレームが、前記ワイヤレスデバイス（１８）による所望のアップリンク送信の直前の最後のダウンリンクサブフレームであり、前記ワイヤレスデバイス（１８）が、前記最後のダウンリンクサブフレームにおけるデータ受信についてスケジュールされない、請求項２５に記載の方法。
【請求項２７】
前記ダウンリンクバースト中の前記最後のダウンリンクサブフレームが、前記ワイヤレスデバイス（１８）による所望のアップリンク送信の直前の最後のダウンリンクサブフレームであり、
前記ワイヤレスデバイス（１８）が、前記最後のダウンリンクサブフレームにおけるデータ受信についてスケジュールされ、
前記ワイヤレスデバイス（１８）は、前記ワイヤレスデバイス（１８）における前記ダウンリンクバーストの受信が完了するまで、成功したアップリンクＬＢＴを前提とする、アップリンク送信を始めない、
請求項２５に記載の方法。
【請求項２８】
前記ＬＢＴセルのためのアップリンクＬＢＴのための前記ＴＡの前記指示を受信すること（１０４）が、第１のキャリア上の前記ＬＢＴセルのためのアップリンクＬＢＴのための前記ＴＡの前記指示を受信することを備え、
前記ＬＢＴセルが、前記第１のキャリアとは異なる第２のキャリア上にある、
請求項２４に記載の方法。
【請求項２９】
アップリンクＬＢＴのための前記ＴＡが、Ｄ＋Ｔ１に等しく、Ｄが、前記ＬＢＴセル上の前記ダウンリンクバースト中の前記最後のダウンリンクサブフレームの持続時間である、請求項２８に記載の方法。
【請求項３０】
アップリンクＬＢＴのための前記ＴＡは、前記ワイヤレスデバイス（１８）によって実施される前記アップリンクＬＢＴプロシージャについてのアップリンクＬＢＴ持続時間が、前記ＬＢＴセル上のダウンリンクバースト中の最後から２番目のダウンリンクサブフレーム中の時間ギャップに対応する時間期間内に入るようなものである、請求項１９に記載の方法。
【請求項３１】
セルラー通信ネットワーク（１０）において動作するように有効にされたワイヤレスデバイス（１８）であって、請求項１９から３０に記載の方法のいずれかに従って動作するように適応された、ワイヤレスデバイス（１８）。
【発明の詳細な説明】
【技術分野】
【０００１】
関連出願
本出願は、その開示全体が参照により本明細書に組み込まれる、２０１５年１２月１１日に出願された仮特許出願第６２／２６６，３８６号の利益を主張する。
【０００２】
本開示は、ライセンス支援型アクセス（ＬＡＡ：Ｌｉｃｅｎｓｅ  Ａｓｓｉｓｔｅｄ  Ａｃｃｅｓｓ）、リッスンビフォアトーク（ＬＢＴ）、マルチキャリアＬＢＴ、およびＭｕＬＴＥｆｉｒｅに関する。提案する変更は、Ｌ１およびＬ２に影響を及ぼし得る。
【背景技術】
【０００３】
第３世代パートナーシッププログラム（３ＧＰＰ）リリース（Ｒｅｌ）１３の特徴であるライセンス支援型アクセス（ＬＡＡ）は、Ｌｏｎｇ  Ｔｅｒｍ  Ｅｖｏｌｕｔｉｏｎ（ＬＴＥ）機器が、未ライセンス５ギガヘルツ（ＧＨｚ）無線スペクトルにおいても動作することを可能にする。未ライセンス５ＧＨｚスペクトルは、ライセンス済みスペクトルを補うものとして使用される。将来のＲｅｌ１４の作業項目が、ＬＡＡにアップリンク送信を追加する。それに応じて、デバイスは、ライセンス済みスペクトル（１次セル（ＰＣｅｌｌ））において接続し、未ライセンススペクトル（２次セル（ＳＣｅｌｌ））において追加の送信容量から利益を得るためにキャリアアグリゲーション（ＣＡ）を使用する。未ライセンススペクトルにおけるＬＴＥのスタンドアロン動作も可能であり、ＭｕＬＴＥｆｉｒｅ  Ａｌｌｉａｎｃｅによって開発中である。
【０００４】
しかしながら、規制要件は、事前のチャネル検知がなければ未ライセンススペクトルにおける送信を許可しないことがある。未ライセンススペクトルは、類似するまたは類似しないワイヤレス技術の他の無線機と共有されなければならないので、いわゆるリッスンビフォアトーク（ＬＢＴ）方法が適用される必要がある。ＬＢＴは、あらかじめ規定された最小時間量の間媒体を検知することと、チャネルがビジーである場合、バックオフすることとを伴う。今日、未ライセンス５ＧＨｚスペクトルは、主に、ＩＥＥＥ８０２．１１ワイヤレスローカルエリアネットワーク（ＷＬＡＮ）規格を実装する機器によって、使用される。この規格は、そのマーケティングブランド「Ｗｉ−Ｆｉ」の下で知られている。
【０００５】
ＬＴＥ
ＬＴＥは、ダウンリンクにおいて直交周波数分割多重（ＯＦＤＭ）を使用し、アップリンクにおいて（シングルキャリア周波数分割多元接続（ＦＤＭＡ）とも呼ばれる）離散フーリエ変換（ＤＦＴ）拡散ＯＦＤＭを使用する。基本ＬＴＥダウンリンク物理リソースが、こうして、図１に例示されているように、時間周波数グリッドとして見られ得、各リソースエレメントが、１つのＯＦＤＭシンボル間隔中の１つのＯＦＤＭサブキャリアに対応する。アップリンクサブフレームは、ダウンリンクと同じサブキャリア離間と、ダウンリンクにおけるＯＦＤＭシンボルと同数の時間領域におけるシングルキャリアＦＤＭＡ（ＳＣ−ＦＤＭＡ）シンボルとを有する。
【０００６】
時間領域において、ＬＴＥダウンリンク送信は、１０ミリ秒（ｍｓ）の無線フレームに編成され、各無線フレームは、図２に示されているように、長さＴＳＵＢＦＲＡＭＥ＝１ｍｓの１０個の等しいサイズのサブフレームからなる。各サブフレームは、各々持続時間０．５ｍｓの２つのスロットを備え、フレーム内でのスロット番号付けは、０〜１９にわたる。通常サイクリックプレフィックスの場合、１つのサブフレームは、１４個のＯＦＤＭシンボルからなる。各シンボルの持続時間は、約７１．４マイクロ秒（μｓ）である。
【０００７】
なお、ＬＴＥにおけるリソース割り当ては、典型的にリソースブロックの観点から説明され、１つのリソースブロックは、時間領域における１つのスロット（０．５ｍｓ）および周波数領域における１２個の連続サブキャリアに対応する。時間方向における２つの隣接するリソースブロックのペア（１．０ｍｓ）は、リソースブロックペアとして知られている。リソースブロックは、周波数領域において、システム帯域幅の一端から０で開始して番号付けされる。
【０００８】
ダウンリンク送信は動的にスケジュールされ、すなわち、各サブフレーム中で、基地局は、現在のダウンリンクサブフレーム中で、どの端末にデータが送信されるか、およびどのリソースブロック上でデータが送信されるかについての制御情報を送信する。この制御シグナリングは、典型的に、各サブフレーム中の最初の１つ、２つ、３つ、または４つのＯＦＤＭシンボル中で送信され、数ｎ＝１、２、３、または４は、制御フォーマットインジケータ（ＣＦＩ）として知られている。ダウンリンクサブフレームは、共通参照シンボルをも含んでおり、共通参照シンボルは、受信機に知られており、たとえば制御情報のコヒーレント復調のために使用される。制御としてのＣＦＩ＝３つのＯＦＤＭシンボルをもつダウンリンクシステムが、図３に例示されている。図３に示されている参照シンボルは、セル固有参照シンボル（ＣＲＳ）であり、ある送信モードについての細かい時間および周波数同期ならびにチャネル推定を含む複数の機能をサポートするために使用される。
【０００９】
アップリンク送信は動的にスケジュールされ、すなわち、各ダウンリンクサブフレーム中で、基地局は、どの端末が後続のサブフレーム中で拡張またはエボルブドノードＢ（ｅＮＢ）にデータを送信すべきであるか、およびどのリソースブロック上でデータが送信されるかについての制御情報を送信する。アップリンクリソースグリッドは、物理アップリンク共有チャネル（ＰＵＳＣＨ）中のデータおよびアップリンク制御情報、物理アップリンク制御チャネル（ＰＵＣＣＨ）中のアップリンク制御情報、ならびに復調用参照信号（ＤＭＲＳ）およびサウンディング参照信号（ＳＲＳ）など、様々な参照信号から構成される。ＤＭＲＳは、ＰＵＳＣＨおよびＰＵＣＣＨデータのコヒーレント復調のために使用されるが、ＳＲＳは、いかなるデータまたは制御情報にも関連付けられず、一般的に、周波数選択的スケジューリングの目的でアップリンクチャネル品質を推定するために使用される。例示的なアップリンクサブフレームが図４に示されている。アップリンクＤＭＲＳおよびＳＲＳは、アップリンクサブフレームに時間多重化され、ＳＲＳは常に通常アップリンクサブフレームの最後のシンボル中で送信されることに留意されたい。ＰＵＳＣＨ  ＤＭＲＳは、通常サイクリックプレフィックスをもつサブフレームについてのスロットごとに１回送信され、第４および第１１のＳＣ−ＦＤＭＡシンボルに位置する。
【００１０】
ＬＴＥ  Ｒｅｌ１１以降、ダウンリンクまたはアップリンクリソース割り振りは、拡張物理ダウンリンク制御チャネル（ＥＰＤＣＣＨ）上でもスケジュールされ得る。Ｒｅｌ８〜Ｒｅｌ１０の場合、物理ダウンリンク制御チャネル（ＰＤＣＣＨ）のみが利用可能である。リソースグラントは、ユーザ機器（ＵＥ）固有であり、ＵＥ固有セル無線ネットワーク一時識別子（Ｃ−ＲＮＴＩ）識別器を用いてダウンリンク制御情報（ＤＣＩ）サイクリック冗長検査（ＣＲＣ）をスクランブルすることによって指示される。
【００１１】
ＬＴＥアップリンクタイミングアドバンス
異なるＵＥからのアップリンク送信は、伝搬遅延の差により、異なる時間にｅＮＢに到着することになる。アップリンク直交性を維持するために、ＵＥ固有アップリンクタイミングアドバンス（ＴＡ）が、ｅＮＢにおけるＵＥの送信の受信時間を整合させるためにＵＥに指示される。アップリンクＴＡは、ＵＥについてのダウンリンク受信タイミングに対して指定される。初期アクセスの場合、ＴＡは、ＵＥによるプリアンブル送信ステップの後にｅＮＢによって計算される。初期アクセスの後に、ｅＮＢは、ＴＡコマンドを用いてアップリンクＴＡを再調整することができる。ＴＡは、０から最大０．６７ｍｓまで、０．５２μｓのグラニュラリティをもつ１１ビットコマンドを使用して、ｅＮＢによって設定され得る。アップリンクＴＡの例示が図５に示されており、ＵＥ１およびＵＥ２は、両方のアップリンク送信がｅＮＢによって受信されたときに時間的に整合されるように、ｅＮＢからの、ＵＥ１およびＵＥ２のそれぞれの一方向伝搬遅延の２倍のＴＡを適用する。
【００１２】
ｅＮＢは、各ＵＥについてタイマーを設定し、タイマーは、ＴＡ更新コマンドが受信されるたびにＵＥによって再起動される。タイマーが満了する前にＵＥが別のＴＡ更新コマンドを受信しない場合、ＵＥは、ＵＥのアップリンクが同期外れを起こしたと考えなければならない。そのような事例では、ＵＥは、アップリンクタイミングを再初期化するために最初にランダムアクセスプリアンブルを送信せずに、いかなる種類の別のアップリンク送信を行うことも許可されない。
【００１３】
ＣＡ
ＬＴＥ  Ｒｅｌ１０規格は、２０メガヘルツ（ＭＨｚ）よりも大きい帯域幅をサポートする。ＬＴＥ  Ｒｅｌ１０に関する１つの重要な要件は、ＬＴＥ  Ｒｅｌ８との後方互換性を保証することである。これは、スペクトル互換性をも含むべきである。このことは、２０ＭＨｚよりも広いＬＴＥ  Ｒｅｌ１０キャリアが、ＬＴＥ  Ｒｅｌ８端末にとっていくつかのＬＴＥキャリアとして見えるべきであることを暗示するであろう。そのような各キャリアは、コンポーネントキャリア（ＣＣ）と呼ばれることがある。具体的には、早期ＬＴＥ  Ｒｅｌ１０展開について、多くのＬＴＥレガシー端末と比較して、より少ない数のＬＴＥ  Ｒｅｌ１０対応端末があることが予想され得る。それゆえ、レガシー端末についても広いキャリアの効率的な使用を保証すること、すなわち、レガシー端末が広帯域ＬＴＥ  Ｒｅｌ１０キャリアのすべての部分においてスケジュールされ得るキャリアを実装することが可能であることを保証することが必要である。これを得るための簡単なやり方は、ＣＡによるものであろう。ＣＡは、ＬＴＥ  Ｒｅｌ１０端末が複数のＣＣを受信することができることを暗示し、ＣＣは、Ｒｅｌ８キャリアと同じ構造を有するか、または少なくとも、同じ構造を有する可能性を有する。ＣＡは図６に例示されている。ＣＡ対応ＵＥが、常にアクティブにされるＰＣｅｌｌと、動的にアクティブにされるかまたは非アクティブにされ得る１つまたは複数のＳＣｅｌｌとを割り振られる。
【００１４】
アグリゲートされるＣＣの数ならびに個々のＣＣの帯域幅は、アップリンクとダウンリンクとについて異なり得る。対称構成は、ダウンリンクにおけるＣＣの数とアップリンクにおけるＣＣの数とが同じである事例を指すが、非対称構成は、ＣＣの数が異なる事例を指す。セルにおいて設定されるＣＣの数は、端末によって見られるＣＣの数とは異なり得ることに留意することが重要である。セルが同数のアップリンクＣＣとダウンリンクＣＣとで設定されるとしても、端末は、たとえば、アップリンクＣＣよりも多くのダウンリンクＣＣをサポートし得る。
【００１５】
ＷＬＡＮ
ＷＬＡＮの典型的な展開では、キャリア検知多重アクセス／衝突回避（ＣＳＭＡ／ＣＡ：Ｃａｒｒｉｅｒ  Ｓｅｎｓｅ  Ｍｕｌｔｉｐｌｅ  Ａｃｃｅｓｓ  ｗｉｔｈ  Ｃｏｌｌｌｉｓｉｏｎ  Ａｖｏｉｄａｎｃｅ）が、媒体アクセスのために使用される。これは、クリアチャネルアセスメント（ＣＣＡ）を実施するためにチャネルが検知され、チャネルがアイドルとして宣言される場合のみ、送信が起動されることを意味する。チャネルがビジーとして宣言される事例では、送信は、基本的に、チャネルがアイドルであると見なされるまで延期される。
【００１６】
Ｗｉ−ＦｉのＬＢＴ機構の一般的な例示が、図７に示されている。Ｗｉ−Ｆｉ局Ａが局Ｂにデータフレームを送信した後に、局Ｂは、１６μｓの遅延で局Ａに肯定応答（ＡＣＫ）フレームを送信するものとする。そのようなＡＣＫフレームは、ＬＢＴ動作を実施することなく、局Ｂによって送信される。別の局がそのようなＡＣＫフレーム送信に干渉することを防ぐために、局は、チャネルが占有されたことが観測された後、チャネルが占有されているかどうかを再び評価する前に、（分散フレーム間スペース（ＤＩＦＳ：Ｄｉｓｔｒｉｂｕｔｅｄ  Ｉｎｔｅｒ−Ｆｒａｍｅ  Ｓｐａｃｅ）と呼ばれる）３４μｓの持続時間の間、延期するものとする。それゆえ、送信することを望む局は、最初に、固定持続時間ＤＩＦＳの間、媒体を検知することによってＣＣＡを実施する。媒体がアイドルである場合、局は、局が媒体の所有権を取り、フレーム交換シーケンスを始め得ると仮定する。媒体がビジーである場合、局は、媒体がアイドルになるのを待ち、ＤＩＦＳの間延期し、さらなるランダムバックオフ期間の間待つ。
【００１７】
上記の基本プロトコルでは、媒体が利用可能になるとき、複数のＷｉ−Ｆｉ局が送信する準備ができていることがあり、それにより、衝突が生じることがある。衝突を低減するために、送信しようとする局は、ランダムバックオフカウンタを選択し、その数のスロットチャネルアイドル時間の間延期する。ランダムバックオフカウンタは、［０，ＣＷ］の間隔にわたる一様分布から引き出されるランダム整数として選択される。ランダムバックオフ競合ウィンドウのデフォルトサイズ（ＣＷｍｉｎ）は、ＩＥＥＥ仕様において定められている。チャネルアクセスを求めて競合する多くの局があるとき、衝突は、依然として、このランダムバックオフプロトコルの下でさえ起こり得ることに留意されたい。それゆえに、再発する衝突を回避するために、バックオフ競合ウィンドウサイズ（ＣＷ）は、局が局の送信の衝突を検出したときはいつでも、限度（ＣＷｍａｘ）までで２倍にされ、限度（ＣＷｍａｘ）もＩＥＥＥ仕様において定められている。局が衝突なしに送信に成功したとき、局は、局のランダムバックオフ競合ウィンドウサイズをデフォルト値（ＣＷｍｉｎ）にリセットする。
【００１８】
ＬＴＥを使用する未ライセンススペクトルへのＬＡＡ
今まで、ＬＴＥによって使用されるスペクトルは、ＬＴＥに専用である。これは、ＬＴＥシステムが共存問題を気にかける必要がなく、スペクトル効率が最大にされ得るという利点を有する。しかしながら、ＬＴＥに割り当てられるスペクトルは限られており、このことは、アプリケーション／サービスからのより大きいスループットに対する常に増加する需要を満たすことができない。それゆえ、ライセンス済みスペクトルに加えて、未ライセンススペクトルを活用するために、ＬＴＥを拡張することに対して、３ＧＰＰにおいて新しい研究項目が始動されている。未ライセンススペクトルは、規定によれば、複数の異なる技術によって同時に使用され得る。それゆえ、ＬＴＥは、ＩＥＥＥ８０２．１１（Ｗｉ−Ｆｉ）など、他のシステムとの共存問題を考慮する必要がある。ライセンス済みスペクトルの場合のように未ライセンススペクトルにおいて同様の様式でＬＴＥを動作させることは、Ｗｉ−Ｆｉが、チャネルが占有されていることを検出すると送信しないので、Ｗｉ−Ｆｉの性能を深刻に劣化させることがある。
【００１９】
なお、未ライセンススペクトルを確実に利用する１つのやり方は、必須の制御信号およびチャネルをライセンス済みキャリア上で送信することである。すなわち、図８に示されているように、ＵＥは、ライセンス済み帯域における１つのＰＣｅｌｌと、未ライセンス帯域における１つまたは複数のＳＣｅｌｌとに接続される。本出願では、未ライセンススペクトルにおけるＳＣｅｌｌは、ＬＡＡ  ＳＣｅｌｌとして表示される。
【００２０】
３ＧＰＰ  Ｒｅｌ１３  ＬＡＡにおけるＬＢＴ
Ｒｅｌ１３  ＬＡＡにおいて、ダウンリンクデータ送信のためのＬＢＴは、ハイブリッド自動再送要求（ＨＡＲＱ）否定応答（ＮＡＣＫ）フィードバックに基づく競合ウィンドウ（ＣＷ）調整を用いる、Ｗｉ−Ｆｉのランダムバックオフプロシージャと同様のランダムバックオフプロシージャに続く。アップリンクＬＢＴのいくつかの態様が、Ｒｅｌ１３中に論じられた。アップリンクＬＢＴのフレームワークに関しては、議論は、セルフスケジューリングおよびクロスキャリアスケジューリングシナリオに焦点を当てた。アップリンクグラント自体が、ｅＮＢによるダウンリンクＬＢＴを要求するので、アップリンクＬＢＴは、セルフスケジューリングを用いるアップリンク送信について追加のＬＢＴステップを課する。ランダムバックオフが採用される場合、アップリンクＬＢＴ最大ＣＷサイズは、この欠点を克服するために極めて低い値に限定されるべきである。それゆえ、Ｒｅｌ１３  ＬＡＡは、セルフスケジューリングのためのアップリンクＬＢＴが、（ダウンリンク専用参照信号（ＤＲＳ）と同様の）少なくとも２５μｓの単一のＣＣＡ持続時間、または１６μｓの延期持続時間および後続の１つのＣＣＡスロットを含む２５μｓの延期期間と、Ｘ＝｛３，４，５，６，７｝から選定される最大競合ウィンドウサイズとを用いるランダムバックオフ方式のいずれかを使用すべきであることを推奨した。これらのオプションは、別の未ライセンスＳＣｅｌｌによるアップリンクのクロスキャリアスケジューリングにも適用可能である。
【００２１】
ライセンス済みＰＣｅｌｌによるクロスキャリアスケジューリングを伴う事例についての短いアップリンクＬＢＴプロシージャが、さらなる研究の余地を残している。検討中の他のオプションは、Ｗｉ−Ｆｉ局によって使用されるランダムバックオフプロシージャと同様の本格的なランダムバックオフプロシージャである。
【００２２】
最終的に、（２つのバーストの間に高々１６μｓのギャップを伴って）そのそれぞれのキャリア上で、アップリンク送信バーストがダウンリンク送信バーストに続くときの、ＬＢＴを用いないアップリンク送信の事例は、Ｒｅｌ１４におけるさらなる研究を求めて未決のままとされた。
【００２３】
未ライセンスキャリア上でアップリンクグラントが送られるときのアップリンクＬＢＴおよびアップリンク送信を例示するための例が、図９で提供されている。
【発明の概要】
【００２４】
リッスンビフォアトーク（ＬＢＴ）セルにおけるタイミングアドバンスに関するシステムおよび方法が開示される。いくつかの実施形態では、セルラー通信ネットワークにおける無線アクセスノードの動作の方法が、ワイヤレスデバイスによって使用されるべきＬＢＴセルのためのアップリンクＬＢＴのためのタイミングアドバンス（ＴＡ）の指示を送信することを備える。このようにして、ＬＢＴセル上のダウンリンク送信がＬＢＴプロシージャに干渉しない時間期間中に、ＬＢＴ持続時間の少なくとも一部分が発生するように、アップリンクＬＢＴプロシージャのタイミングが制御され得る。
【００２５】
いくつかの実施形態では、ＬＢＴセルのためのアップリンクＬＢＴのためのＴＡは、ＬＢＴセルのためのアップリンクＬＢＴとアップリンク送信の両方のためのＴＡである。
【００２６】
いくつかの実施形態では、本方法は、ワイヤレスデバイスに、ＬＢＴセル上のアップリンク送信のためのＴＡの指示を送ることをさらに備える。
【００２７】
いくつかの実施形態では、本方法は、ＬＢＴセルを提供する無線アクセスノードとワイヤレスデバイスとの間の一方向伝搬遅延（Ｔ１）に基づいて、ＬＢＴセルのためのアップリンクＬＢＴのためのＴＡを決定することをさらに備え、アップリンクＬＢＴのためのＴＡは、２Ｔ１よりも大きく、ワイヤレスデバイスのダウンリンクタイミングに関係する。
【００２８】
いくつかの実施形態では、アップリンクＬＢＴのためのＴＡを決定することは、一方向伝搬遅延（Ｔ１）と、ＬＢＴセル上のアップリンクＬＢＴプロシージャを実施するために必要とされる時間量とに基づいて、アップリンクＬＢＴのためのＴＡを決定することを備え、アップリンクＬＢＴのためのＴＡは、２Ｔ１＋ＬＢＴセル上のアップリンクＬＢＴプロシージャを実施するために必要とされる時間量よりも大きいかまたはそれに等しい。
【００２９】
いくつかの実施形態では、ＬＢＴセル上のダウンリンクバーストの最後のダウンリンクサブフレームが、部分ダウンリンクサブフレームに対応する、持続時間の使用される部分Ｄｕｓｅｄと、部分ダウンリンクサブフレームの後に発生する、持続時間の使用されない部分Ｄｕｎｕｓｅｄとからなり、アップリンクＬＢＴのためのＴＡを決定することは、（ａ）一方向伝搬遅延（Ｔ１）と、（ｂ）ＬＢＴセル上のアップリンクＬＢＴプロシージャを実施するために必要とされる時間量と、（ｃ）Ｄｕｎｕｓｅｄとに基づいて、アップリンクＬＢＴのためのＴＡを決定することを備え、アップリンクＬＢＴのためのＴＡは、２Ｔ１＋アップリンクＬＢＴプロシージャを実施するために必要とされる時間量よりも大きいかまたはそれに等しく、Ｄｕｎｕｓｅｄよりも小さいかまたはそれに等しい。
【００３０】
いくつかの実施形態では、アップリンクＬＢＴのためのＴＡは、ワイヤレスデバイスによって実施されるアップリンクＬＢＴプロシージャについてのアップリンクＬＢＴ持続時間が、ＬＢＴセル上のダウンリンクバースト中の最後の部分ダウンリンクサブフレームの終端の、ワイヤレスデバイスにおける受信の後に開始する時間期間内に入るようなものである。
【００３１】
いくつかの実施形態では、アップリンクＬＢＴのためのＴＡは、ワイヤレスデバイスによって実施されるアップリンクＬＢＴプロシージャについてのアップリンクＬＢＴ持続時間が、（ａ）ＬＢＴセル上のダウンリンクバースト中の最後の部分ダウンリンクサブフレームの終端の、ワイヤレスデバイスにおける受信の後に開始し、（ｂ）アップリンクＬＢＴプロシージャの結果が、ＬＢＴセルのためのアップリンクチャネルがクリアであることである場合、ワイヤレスデバイスによる所望のアップリンク送信が始まるべき時間に終了する、時間期間内に入るようなものである。さらに、いくつかの実施形態では、ワイヤレスデバイスによる所望のアップリンク送信が始まるべき時間は、ＬＢＴセル上のアップリンク送信のための別個のＴＡによって規定される。
【００３２】
いくつかの実施形態では、アップリンクＬＢＴのためのＴＡは、ＬＢＴセルを提供する無線アクセスノードとワイヤレスデバイスとの間の一方向伝搬遅延（Ｔ１）＋ＬＢＴセル上のダウンリンクバースト中の最後のダウンリンクサブフレームの持続時間Ｄに等しく、アップリンクＬＢＴのためのＴＡは、ワイヤレスデバイスのダウンリンク受信タイミングに関係する。
【００３３】
いくつかの実施形態では、アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延（Ｔ１）内に入るようなものである。
【００３４】
いくつかの実施形態では、アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延（Ｔ１）に等しい持続時間を有する時間期間内に入るようなものであり、時間期間は、ＬＢＴセルを提供する無線アクセスノードにおけるＬＢＴセル上のダウンリンクバースト中の最後のダウンリンクサブフレームの送信の時間に開始し、ワイヤレスデバイスにおけるＬＢＴセル上のダウンリンクバースト中の最後のダウンリンクサブフレームの受信の時間に終了する。さらに、いくつかの実施形態では、アップリンクＬＢＴのためのＴＡは、Ｄ＋Ｔ１に等しく、Ｄは、ＬＢＴセル上のダウンリンクバースト中の最後のダウンリンクサブフレームの持続時間である。さらに、いくつかの実施形態では、ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされない。他の実施形態では、ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされ、ワイヤレスデバイスは、ワイヤレスデバイスにおけるダウンリンクバーストの受信が完了するまで、成功したアップリンクＬＢＴを前提とする、アップリンク送信を始めない。
【００３５】
いくつかの実施形態では、ＬＢＴセルのためのアップリンクＬＢＴのためのＴＡの指示を送ることが、第１のキャリア上のＬＢＴセルのためのアップリンクＬＢＴのためのＴＡの指示を送ることを備え、ＬＢＴセルは、第１のキャリアとは異なる第２のキャリア上にある。いくつかの実施形態では、アップリンクＬＢＴのためのＴＡは、Ｄ＋Ｔ１に等しく、Ｄは、ＬＢＴセル上のダウンリンクバースト中の最後のダウンリンクサブフレームの持続時間である。
【００３６】
いくつかの実施形態では、アップリンクＬＢＴのためのＴＡは、ワイヤレスデバイスによって実施されるアップリンクＬＢＴプロシージャについてのアップリンクＬＢＴ持続時間が、ＬＢＴセル上のダウンリンクバースト中の最後から２番目のダウンリンクサブフレーム中の時間ギャップに対応する時間期間内に入るようなものである。
【００３７】
セルラー通信ネットワークのための無線アクセスノードの実施形態も開示される。いくつかの実施形態では、無線アクセスノードは、本明細書で開示される実施形態のいずれかに従って無線アクセスノードの動作の方法を実施するように適応される。
【００３８】
いくつかの実施形態では、セルラー通信ネットワークのための無線アクセスノードは、少なくとも１つのプロセッサと、少なくとも１つのプロセッサによって実行可能な命令を備えるメモリとを備え、命令により、無線アクセスノードは、ワイヤレスデバイスによって使用されるべきＬＢＴセルのためのアップリンクＬＢＴのためのＴＡの指示を送信することを遂行するように動作可能である。
【００３９】
いくつかの実施形態では、セルラー通信ネットワークのための無線アクセスノードは、ワイヤレスデバイスによって使用されるべきＬＢＴセルのためのアップリンクＬＢＴのためのＴＡの指示を送信することを遂行するように動作可能な送信モジュールを備える。
【００４０】
セルラー通信ネットワークにおけるワイヤレスデバイスの動作の方法の実施形態も開示される。いくつかの実施形態では、セルラー通信ネットワークにおけるワイヤレスデバイスの動作の方法は、無線アクセスノードから、ＬＢＴセルのためのアップリンクＬＢＴのためのＴＡの指示を受信することと、アップリンクＬＢＴのためのＴＡに従ってＬＢＴセルのためのアップリンクＬＢＴプロシージャを実施することとを備える。
【００４１】
いくつかの実施形態では、本方法は、無線アクセスノードから、ＬＢＴセル上のアップリンク送信のための別個のＴＡの指示を受信することをさらに備える。
【００４２】
いくつかの実施形態では、アップリンクＬＢＴのためのＴＡは、ワイヤレスデバイスによって実施されるアップリンクＬＢＴプロシージャについてのアップリンクＬＢＴ持続時間が、ＬＢＴセル上のダウンリンクバースト中の最後の部分ダウンリンクサブフレームの終端の、ワイヤレスデバイスにおける受信の後に開始する時間期間内に入るようなものである。
【００４３】
いくつかの実施形態では、アップリンクＬＢＴのためのＴＡは、ワイヤレスデバイスによって実施されるアップリンクＬＢＴプロシージャについてのアップリンクＬＢＴ持続時間が、（ａ）ＬＢＴセル上のダウンリンクバースト中の最後の部分ダウンリンクサブフレームの終端の、ワイヤレスデバイスにおける受信の後に開始し、（ｂ）アップリンクＬＢＴプロシージャの結果が、ＬＢＴセルのためのアップリンクチャネルがクリアであることである場合、ワイヤレスデバイスによる所望のアップリンク送信が始まるべき時間に終了する、時間期間内に入るようなものである。
【００４４】
いくつかの実施形態では、ワイヤレスデバイスによる所望のアップリンク送信が始まるべき時間は、ＬＢＴセル上のアップリンク送信のための別個のＴＡによって規定される。
【００４５】
いくつかの実施形態では、アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延（Ｔ１）内に入るようなものである。
【００４６】
いくつかの実施形態では、アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延（Ｔ１）に等しい持続時間を有する時間期間内に入るようなものであり、時間期間は、ＬＢＴセルを提供する無線アクセスノードにおけるＬＢＴセル上のダウンリンクバースト中の最後のダウンリンクサブフレームの送信の時間に開始し、ワイヤレスデバイスにおけるＬＢＴセル上のダウンリンクバースト中の最後のダウンリンクサブフレームの受信の時間に終了する。いくつかの実施形態では、アップリンクＬＢＴのためのＴＡは、Ｄ＋Ｔ１に等しく、Ｄは、ＬＢＴセル上のダウンリンクバースト中の最後のダウンリンクサブフレームの持続時間である。いくつかの実施形態では、ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされない。いくつかの他の実施形態では、ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされ、ワイヤレスデバイスは、ワイヤレスデバイスにおけるダウンリンクバーストの受信が完了するまで、成功したアップリンクＬＢＴを前提とする、アップリンク送信を始めない。
【００４７】
いくつかの実施形態では、ＬＢＴセルのためのアップリンクＬＢＴのためのＴＡの指示を受信することが、第１のキャリア上のＬＢＴセルのためのアップリンクＬＢＴのためのＴＡの指示を受信することを備え、ＬＢＴセルは、第１のキャリアとは異なる第２のキャリア上にある。さらに、いくつかの実施形態では、アップリンクＬＢＴのためのＴＡは、Ｄ＋Ｔ１に等しく、Ｄは、ＬＢＴセル上のダウンリンクバースト中の最後のダウンリンクサブフレームの持続時間である。
【００４８】
いくつかの実施形態では、アップリンクＬＢＴのためのＴＡは、ワイヤレスデバイスによって実施されるアップリンクＬＢＴプロシージャについてのアップリンクＬＢＴ持続時間が、ＬＢＴセル上のダウンリンクバースト中の最後から２番目のダウンリンクサブフレーム中の時間ギャップに対応する時間期間内に入るようなものである。
【００４９】
セルラー通信ネットワークにおける動作のためのワイヤレスデバイスの実施形態も開示される。いくつかの実施形態では、セルラー通信ネットワークにおける動作のためのワイヤレスデバイスは、本明細書で開示されるワイヤレスデバイスの動作の方法の実施形態のいずれか１つに従って動作するように適応される。
【００５０】
いくつかの実施形態では、セルラー通信ネットワークにおける動作のためのワイヤレスデバイスは、少なくとも１つのプロセッサと、少なくとも１つのプロセッサによって実行可能な命令を備えるメモリとを備え、命令により、ワイヤレスデバイスは、無線アクセスノードから、ＬＢＴセルのためのアップリンクＬＢＴのためのＴＡの指示を受信することと、アップリンクＬＢＴのためのＴＡに従ってＬＢＴセルのためのアップリンクＬＢＴプロシージャを実施することとを行うように動作可能である。
【００５１】
いくつかの実施形態では、セルラー通信ネットワークにおける動作のためのワイヤレスデバイスは、受信モジュールと実施モジュールとを備える。受信モジュールは、無線アクセスノードから、ＬＢＴセルのためのアップリンクＬＢＴのためのＴＡの指示を受信するように動作可能である。実施モジュールは、アップリンクＬＢＴのためのＴＡに従ってＬＢＴセルのためのアップリンクＬＢＴプロシージャを実施するように動作可能である。
【００５２】
当業者は、添付の図面に関連して実施形態の以下の詳細な説明を読めば、本開示の範囲を諒解し、その追加の態様を了解されよう。
【００５３】
本明細書に組み込まれ、本明細書の一部をなす添付の図面は、本開示のいくつかの態様を例示し、説明とともに本開示の原理について解説するように働く。
【図面の簡単な説明】
【００５４】
【図１】Ｌｏｎｇ  Ｔｅｒｍ  Ｅｖｏｌｕｔｉｏｎ（ＬＴＥ）ダウンリンク物理リソースを時間周波数グリッドとして例示する図である。
【図２】ＬＴＥ時間領域構造を例示する図である。
【図３】ダウンリンクサブフレームを例示する図である。
【図４】ＬＴＥリリース（Ｒｅｌ）１２アップリンクサブフレームを例示する図である。
【図５】周波数分割複信（ＦＤＤ）ＬＴＥにおけるアップリンクタイミングアドバンス（ＴＡ）を例示する図である。
【図６】キャリアアグリゲーション（ＣＡ）を例示する図である。
【図７】Ｗｉ−Ｆｉにおけるリッスンビフォアトーク（ＬＢＴ）を例示する図である。
【図８】ＬＴＥ  ＣＡを使用する未ライセンススペクトルへのライセンス支援型アクセス（ＬＡＡ）を例示する図である。
【図９】アップリンクＬＡＡ  ＬＢＴを例示する図である。
【図１０】ダウンリンクバーストの終端より前にアップリンクＬＢＴ機会を提供するためのダウンリンクサブフレームパンクチャリングを例示する図である。
【図１１】ユーザ機器（ＵＥ）が、持続時間（Ｄ）の最後のダウンリンクサブフレームにおけるデータについてスケジュールされず、ＬＢＴの後に初期信号を送信するときの、アップリンクＬＢＴ  ＴＡと一緒のアップリンク送信ＴＡを例示する図である。
【図１２】ＵＥが、持続時間（Ｄ）の最後のダウンリンクサブフレームにおけるデータについてスケジュールされず、ＬＢＴの後に初期信号を送信しないときの、アップリンクＬＢＴ  ＴＡと一緒のアップリンク送信ＴＡを例示する図である。
【図１３】ＵＥが、最後のダウンリンクサブフレームにおけるデータについてスケジュールされるときの、アップリンクＬＢＴ  ＴＡを例示する図である。
【図１４】マルチキャリア事例における、アップリンクＬＢＴおよびアップリンク送信のためのＴＡを例示する図である。
【図１５Ａ】ダウンリンクバーストの受信の後のアップリンクＬＢＴと、アップリンク送信ＴＡとを例示する図である。
【図１５Ｂ】ダウンリンクバーストの受信の後のアップリンクＬＢＴと、アップリンク送信ＴＡとを例示する図である。
【図１６Ａ】本開示のいくつかの実施形態による、セルラー通信ネットワークを例示する図である。
【図１６Ｂ】本開示のいくつかの実施形態による、セルラー通信ネットワークを例示する図である。
【図１６Ｃ】本開示のいくつかの実施形態による、セルラー通信ネットワークを例示する図である。
【図１７】本開示のいくつかの実施形態による、セルラー通信ネットワークの基地局およびワイヤレスデバイスの動作を例示する図である。
【図１８Ａ】本開示のいくつかの実施形態による、より詳細に図１７のプロセスを例示する図である。
【図１８Ｂ】本開示のいくつかの実施形態による、より詳細に図１７のプロセスを例示する図である。
【図１８Ｃ】本開示のいくつかの実施形態による、より詳細に図１７のプロセスを例示する図である。
【図１９】本開示のいくつかの実施形態による、基地局の実施形態を例示する図である。
【図２０】本開示のいくつかの実施形態による、基地局の実施形態を例示する図である。
【図２１】本開示のいくつかの実施形態による、ワイヤレスデバイスの実施形態を例示する図である。
【図２２】本開示のいくつかの実施形態による、ワイヤレスデバイスの実施形態を例示する図である。
【発明を実施するための形態】
【００５５】
以下に記載される実施形態は、当業者が本実施形態を実践することができるようにするための情報を表し、本実施形態を実践する最良のモードを例示する。添付の図面に照らして以下の説明を読むと、当業者は、本開示の概念を理解し、本明細書では特に扱われないこれらの概念の適用例を認識されよう。これらの概念および適用例は、本開示の範囲内に入ることを理解されたい。
【００５６】
無線ノード：本明細書で使用される「無線ノード」は、無線アクセスノードまたはワイヤレスデバイスのいずれかである。
【００５７】
無線アクセスノード：本明細書で使用される「無線アクセスノード」は、信号をワイヤレスに送信および／または受信するように動作する、セルラー通信ネットワークの無線アクセスネットワークにおける何らかのノードである。無線アクセスノードのいくつかの例は、限定はしないが、基地局（たとえば、第３世代パートナーシッププロジェクト（３ＧＰＰ）Ｌｏｎｇ  Ｔｅｒｍ  Ｅｖｏｌｕｔｉｏｎ（ＬＴＥ）ネットワークにおける拡張またはエボルブドノードＢ（ｅＮＢ））と、高電力またはマクロ基地局と、低電力基地局（たとえば、マイクロ基地局、ピコ基地局、ホームｅＮＢなど）と、リレーノードとを含む。
【００５８】
ワイヤレスデバイス：本明細書で使用される「ワイヤレスデバイス」は、（１つまたは複数の）無線アクセスノードに対して信号をワイヤレスに送信および／または受信することによって、セルラー通信ネットワークへのアクセスを有する（すなわち、セルラー通信ネットワークによってサーブされる）何らかのタイプのデバイスである。ワイヤレスデバイスのいくつかの例は、限定はしないが、３ＧＰＰ  ＬＴＥネットワークにおけるユーザ機器デバイス（ＵＥ）と、マシンタイプ通信（ＭＴＣ）デバイスとを含む。
【００５９】
ネットワークノード：本明細書で使用される「ネットワークノード」は、セルラー通信ネットワーク／システムの無線アクセスネットワークまたはコアネットワークのいずれかの一部である何らかのノードである。
【００６０】
リッスンビフォアトーク（ＬＢＴ）：本明細書で使用される「ＬＢＴ」または「ＬＢＴ方式」は、無線アクセスノードまたはワイヤレスデバイスが、チャネル上で送信する前にチャネルがクリアであるかどうかを決定する（たとえば、クリアチャネルアセスメント（ＣＣＡ）を実施する）ために、周波数スペクトル（たとえば、未ライセンス周波数スペクトル）におけるチャネルを監視する何らかの方式である。
【００６１】
ＬＢＴセル：本明細書で使用される「ＬＢＴセル」は、送信する前にＬＢＴ方式が実施されなければならない周波数スペクトル（たとえば、未ライセンス周波数スペクトル）におけるチャネル上で動作するセルである。
【００６２】
ＬＢＴプロシージャ：本明細書で使用される「ＬＢＴプロシージャ」は、ワイヤレスチャネルが送信のためにクリアであるかどうかを検知するために送信ノードによって実施される何らかのプロシージャであり、随意に、ワイヤレスチャネルがクリアとして検知された場合、ワイヤレスチャネル上で送信することを備えることもある。ＬＢＴプロシージャは、本明細書では「ＬＢＴ持続時間」と呼ばれる、時間期間にわたって実施される。ＬＢＴ持続時間は、送信ノードがワイヤレスチャネルを検知する時間期間を少なくとも含む。
【００６３】
ライセンス支援型アクセス（ＬＡＡ）２次セル（ＳＣｅｌｌ）：本明細書で使用される「ＬＡＡ  ＳＣｅｌｌ」は、ＬＢＴセルの１つのタイプである。具体的には、「ＬＡＡ  ＳＣｅｌｌ」は、ＬＴＥネットワークにおけるＳＣｅｌｌであり、ＳＣｅｌｌは、ライセンス済み周波数スペクトルにおいて動作する別のセル（すなわち、１次セル（ＰＣｅｌｌ））からの支援を用いて、ＬＢＴを要求する周波数スペクトル（たとえば、未ライセンス周波数スペクトル）において動作する。
【００６４】
スタンドアロンＬＢＴセル：本明細書で使用される「スタンドアロンＬＢＴセル」は、別のセル（たとえば、ライセンス済み周波数スペクトルにおいて動作する別のセル）からの支援なしに単独で動作する、ＬＢＴセル（たとえば、ＬＴＥネットワークにおけるセル）の１つのタイプである。
【００６５】
本明細書で与えられる説明は３ＧＰＰ  ＬＴＥに焦点を当て、したがって、３ＧＰＰ  ＬＴＥ用語がしばしば使用されることに留意されたい。しかしながら、本明細書で開示される概念は、３ＧＰＰ  ＬＴＥに限定されない。
【００６６】
なお、本明細書の説明では、「セル」という用語に対して、参照が行われることに留意されたい。しかしながら、特に第５世代（５Ｇ）概念に関して、ビームがセルの代わりに使用されることがあり、したがって、本明細書で説明される概念は、セルとビームの両方に等しく適用可能であることに留意することが重要である。こうして、いくつかの実施形態では、本明細書で説明される送信は、セル上ではなく、ビーム上で実施されることがある（たとえば、未ライセンス周波数スペクトルにおけるビーム）。
【００６７】
アップリンクタイミングアドバンス（ＴＡ）は、ｅＮＢによるＬＢＴのためのギャップを提供すること、または屋外展開において伝搬遅延を相殺することのいずれかのために、アップリンクＬＡＡまたはＭｕＬＴＥｆｉｒｅシステムにおいて必要とされる。一般に複数のユーザからの多重化されたアップリンク送信がある場合、３ＧＰＰリリース（Ｒｅｌ）１３  ＬＡＡにおけるアップリンクＴＡについての、またはＬＢＴシステムについてのソリューションは今のところない。ｅＮＢにおけるダウンリンク送信バーストの終端とアップリンクバーストの受信との間に大きい時間的ギャップがある場合、このことは、Ｗｉ−Ｆｉなど、同じまたは他の技術の他のＬＢＴノードへのチャネルアクセスを失う見込みを増加させる。
【００６８】
本開示は、ＬＢＴを用いる未ライセンスキャリア上のアップリンク送信におけるＴＡを実装するための様々な実施形態を提案する。これらのソリューションは、ｅＮＢにおけるダウンリンク送信バーストの終端とアップリンクバーストの受信との間のギャップを最小限に抑え、これは、同じまたは他の技術の他のＬＢＴノードへのチャネルアクセスを失う見込みを最小限に抑える。
【００６９】
以下の利点が確認されている。
・アップリンクＴＡは、ｅＮＢによるダウンリンクＬＢＴのためのギャップを提供することができ、
・アップリンクＴＡは、屋外未ライセンスキャリア展開においてアップリンク直交性を維持することができる。
【００７０】
以下の実施形態は、未ライセンス帯域上のアップリンク送信におけるＴＡをどのように実装すべきかを説明する。これらの手法は、シングルキャリアシナリオとマルチキャリアシナリオの両方について成り立つ。提案する方法は、ＬＡＡ、未ライセンススペクトルにおけるＬＴＥ（ＬＴＥ−Ｕ）、およびスタンドアロンＬＴＥ−Ｕ／ＭｕＬＴＥｆｉｒｅなど、未ライセンススペクトルにおいて動作するＬＴＥの異なる変形形態にも適用されることを理解されたい。
【００７１】
第１の実施形態では、アップリンクＴＡは、ｅＮＢが、アップリンク送信自体のための別個のＴＡを潜在的に指示するとともに、アップリンクＬＢＴの開始のためのＴＡを指示することによって実装される。ＬＢＴ  ＴＡは、アップリンクＬＢＴ持続時間の一部または全部が、ｅＮＢとＵＥとの間の一方向伝搬遅延Ｔ１内に入るように設定される。言い換えれば、ＬＢＴ  ＴＡは、アップリンクＬＢＴ持続時間の一部または全部が、一方向伝搬遅延Ｔ１に等しい時間期間内に入るように設定され、この時間期間は、ｅＮＢにおける、ダウンリンクサブフレームの送信の始めに開始し、ＵＥにおける、時間量Ｔ１の後で発生する、送信の受信の始めに終了する。このようにして、アップリンクＬＢＴ持続時間は、少なくとも部分的に、しかし潜在的には完全に、ＵＥにおけるダウンリンクサブフレームの受信がアップリンクＬＢＴプロシージャに干渉しない時間期間内にある（たとえば、ダウンリンクサブフレームによりアップリンクＬＢＴプロシージャがチャネルをビジーとして検出することがないことになる）。
【００７２】
本明細書で使用されるアップリンクＬＢＴ持続時間は、アップリンクＬＢＴプロシージャが実施される持続時間であることに留意されたい。アップリンクＬＢＴ持続時間は、たとえば、いくつかのＣＣＡスロットであり得、各ＣＣＡスロットは、たとえば、あらかじめ規定された持続時間を有する。たとえば、１０キロメートル（ｋｍ）のｅＮＢ−ＵＥ間分離の場合、各々９マイクロ秒（μｓ）持続時間の３つの完全なＣＣＡスロットは、３３．３μｓの伝搬遅延内に入ることができる。
【００７３】
アップリンクＬＢＴ  ＴＡは、０．５２μｓの既存のグラニュラリティ、またはより少数のビットを使用するより粗いグラニュラリティを使用して、ＵＥのダウンリンク受信タイミングに対して設定され得る。非限定的な例として、ＬＢＴ  ＴＡは、アップリンクグラントおよびＬＢＴカウンタを搬送するダウンリンク制御情報（ＤＣＩ）メッセージ中で指示される。
【００７４】
ダウンリンクバーストが複数のサブフレームを含んでいるとき、アップリンクＬＢＴのための時間ギャップが、図１０に示されているように、バーストの最後から２番目のダウンリンクサブフレーム中の、１つまたは複数の直交周波数分割多重（ＯＦＤＭ）シンボル、または１つのＯＦＤＭシンボルの一部分をパンクチャすることによって提供され得る。本明細書で使用される場合、ダウンリンク「バースト」がＬＢＴに関連するとき、ダウンリンク「バースト」は、送信ノードによるいくつかの（たとえば、１つまたは複数の）連続する送信を指すことに留意されたい。たとえば、送信バーストの最大持続時間は、典型的に、ＬＢＴが要求される未ライセンス周波数スペクトルにおいて制限される（たとえば、５ＧＨｚ周波数スペクトルの場合、最大送信バースト持続時間は、たとえば、日本における４ｍｓおよび欧州における１３ｍｓについて、国および領域固有の規制によって指定される）。そのため、送信ノードはＬＢＴを実施し、チャネルがクリアであることが分かると、送信ノードは送信し始め、最大送信バースト持続時間までの間、送信し続けることができる。この送信は送信バーストと呼ばれる。
【００７５】
厳密なＴＡプロシージャは、ＵＥが、アップリンク送信の直前の最後のダウンリンクサブフレームにおけるダウンリンクデータについてスケジュールされるかどうかに依存する。この最後のダウンリンクサブフレームは、持続時間（Ｄ）のものであり、１４個のＯＦＤＭシンボルをもつフルサブフレーム、またはより少数のＯＦＤＭシンボルをもつ部分サブフレームであり得る。持続時間（Ｄ）は、物理ダウンリンク制御チャネル（ＰＤＣＣＨ）／拡張ＰＤＣＣＨ（ＥＰＤＣＣＨ）、またはＬ１シグナリングのいずれかを使用して、少なくとも、ダウンリンクバーストの最後の２つのダウンリンクサブフレーム中で明示的にＵＥに指示される。
【００７６】
ＵＥが、アップリンク送信の直前の最後のダウンリンクサブフレームにおけるデータ受信についてスケジュールされない事例についての例示が、図１１に示されている。このコンテキストでは、アップリンク送信がＬＢＴプロシージャの成果に依存して実施されることも実施されないこともあるので、アップリンク送信は、「所望の」アップリンク送信と呼ばれることもある。この例では、ＵＥは、アップリンクＬＢＴを実施するために（Ｄ＋Ｔ１）のＴＡを使用する。アップリンクＬＢＴが成功した後、ＵＥは、２Ｔ１の別個のＴＡを用いてアップリンク送信（データ、制御、またはその２つの組合せ）を実施する。アップリンクＬＢＴとアップリンク送信との間に時間ギャップがあり、その間、ＵＥはチャネルを占有するために初期信号を送信することができる。
【００７７】
図１２に示されているように、ＵＥが初期信号を送信しない場合、名目上、この時間ギャップは、未ライセンスチャネル上のｅＮＢからのダウンリンクエネルギーによって占有される。チャネルアクセスを失うことからの追加の保護が、アップリンクＬＢＴを完了した直後の、ＵＥによるＷｉ−Ｆｉプリアンブルの送信によって得られ得、プリアンブル中で指示される送信持続時間は、アップリンクＬＢＴとアップリンク送信との間の時間ギャップと、アップリンク送信自体の持続時間の両方をカバーする。アップリンク送信は、次いで、ｅＮＢのダウンリンク送信の終結の直後にｅＮＢによって受信される。
【００７８】
ＵＥが、最後のダウンリンクサブフレームにおけるダウンリンクデータ受信についてスケジュールされる事例では、アップリンクＬＢＴは、やはり、前の例の場合のように早められ得る。しかしながら、一般的に、アップリンク送信を開始しながら、ダウンリンクサブフレームにおいて同時にデータを受信することは実現可能ではない。このシナリオは図１３に描かれている。
【００７９】
なお、高度無線周波数（ＲＦ）または干渉消去能力を用いるＵＥは、依然として、無認可チャネルの１つの部分においてダウンリンクデータを受信しながら、ＴＡを用いて未ライセンスキャリア上の別の周波数割り当て上で同時に送信することが可能であり得る。この事例では、タイミングシーケンスは、図１０または図１１中のタイミングシーケンスと同じであることになる。
【００８０】
第２の実施形態では、ＵＥが１つのキャリア上でダウンリンクを受信し、別のキャリア上でＴＡを用いて送信する、マルチキャリア事例が考慮される。異なる持続時間のＬＴＥ−Ｕダウンリンク送信が、キャリアＣＣ１およびＣＣ２上で発生し、ＣＣ１は、１つまたは複数の隣接するＷｉ−Ｆｉアクセスポイントによって１次チャネルとしても使用され得る。ＴＡを用いたアップリンクＬＢＴおよびアップリンク送信が、ＣＣ２上で発生する。Ｗｉ−Ｆｉ  １次チャネルが占有されているので、ＣＣ２上のアップリンクＬＢＴとアップリンク送信との間のギャップは、マルチチャネルＷｉ−Ｆｉアクセスポイントによって占有され得ない。一例が図１４に示されている。この例では、図１４に基づいて、Ｗｉ−Ｆｉアクセスポイントはチャネルボンディングプロシージャに従い、ここで、この事例ではＣＣ１であるＷｉ−Ｆｉ  １次チャネルは、Ｗｉ−Ｆｉアクセスポイントが、利用可能なチャネルのいずれかを使用することができるようになる前に、占有されていないことを必要とする。ここでは、ＬＴＥ−Ｕ  ｅＮＢは、ダウンリンク送信でＣＣ１を占有しており、したがって、Ｗｉ−Ｆｉアクセスポイントは、ＣＣ２が占有されていない場合でも、ＣＣ２にアクセスすることができない。
【００８１】
第３の実施形態では、最後から２番目のダウンリンクサブフレームをパンクチャする代わりに、アップリンクＬＢＴは最後の部分サブフレームがＵＥにおいて受信された後に行われ、この後に、アップリンク送信がサブフレーム境界タイミングに関係する所望の時点にｅＮＢに到着するような、ＴＡがアップリンク送信に適用される。一例が図１５Ａに示されている。例示されているように、ダウンリンクバースト中の最後のダウンリンクサブフレームは、部分ダウンリンクサブフレーム（すなわち、ダウンリンク送信がフル無線サブフレームを占有しないダウンリンクサブフレーム）である。たとえば、無線サブフレームが１３個のシンボル期間を含む場合、部分ダウンリンクサブフレームは最初のＮ個のシンボル期間のみを使用し、ここで、Ｎ＜１３である。アップリンクＬＢＴ持続時間は、部分ダウンリンクサブフレームの終端において（すなわち、対応する無線サブフレームの使用されない部分において）発生する。言い換えれば、アップリンクＬＢＴ持続時間は、ＵＥにおける部分ダウンリンクサブフレームの終端の受信のときに開始する時間期間内に入る。図１５Ａの例では、ＬＢＴプロシージャが成功した場合（すなわち、ＬＢＴプロシージャの結果が、アップリンクチャネルがクリアであることである場合）、この時間期間は、ＵＥによる所望のアップリンク送信がＵＥにおいて開始すべき時間に終了する。図１５Ａの例では、ＵＥによる所望のアップリンク送信が開始すべき時間は、アップリンク送信のためのＴＡによって規定され、これは、例示されている例では２Ｔ１である。
【００８２】
図１５Ｂは、図１５Ａの例を例示するが、さらに、図１５Ａの例によるアップリンクＬＢＴのためのＴＡのための値の可能な範囲を例示する。図１５Ｂに例示されているように、および図１５Ａから理解されるであろうように、フルダウンリンクサブフレームは、持続時間Ｄを有する。ダウンリンクサブフレームの使用される部分は、持続時間Ｄｕｓｅｄを有し、ダウンリンクサブフレームの使用されない部分は、持続時間Ｄｕｎｕｓｅｄを有する。ダウンリンクサブフレームの使用される部分は、部分ダウンリンクサブフレームである。この例示からわかるように、アップリンクＬＢＴ持続時間が、ＵＥにおいて受信されるダウンリンクサブフレームの使用されない部分内に入るために、アップリンクＬＢＴのためのＴＡは、Ｄｕｎｕｓｅｄよりも大きいかまたはそれに等しく、２Ｔ１＋アップリンクＬＢＴ持続時間（ＤＵＬ＿ＬＢＴ）よりも小さいかまたはそれに等しいことを必要とする。再び、アップリンクＬＢＴのためのＴＡは、ＵＥのダウンリンクタイミングに関係する。言い換えれば、アップリンクＬＢＴのためのＴＡは、ＵＥにおけるダウンリンクサブフレームの受信の時間に関係する。こうして、アップリンクＬＢＴのためのＴＡは、ＵＥにおけるダウンリンクサブフレーム境界に対する負のオフセットとして見られ得る。
【００８３】
本開示の実施形態は、（本明細書では通信システムとも呼ぶ）セルラー通信ネットワーク１０において実装され、その例が図１６Ａ〜図１６Ｃに例示されている。図１６Ａの例では、セルラー通信ネットワーク１０は、ライセンス済み周波数スペクトルにおけるキャリアｆ１上で動作するセル１４と、未ライセンス周波数スペクトル（たとえば、５ギガヘルツ（ＧＨｚ）周波数スペクトル）におけるキャリアｆ２上で動作するセル１６とをサーブする基地局１２（たとえば、ＬＴＥ用語におけるｅＮＢ）を含む。１つの例示的なＬＡＡ方式に従って、ＬＡＡのためのキャリアアグリゲーション（ＣＡ）方式に従って、セル１４は、ワイヤレスデバイス１８（たとえば、ＬＴＥ  ＵＥ）のＰＣｅｌｌとして設定され、セル１６は、ワイヤレスデバイス１８のＳＣｅｌｌとして設定される。したがって、ワイヤレスデバイス１８に関して、セル１４は、ワイヤレスデバイス１８のＰＣｅｌｌ１４と呼ばれ、セル１６は、ワイヤレスデバイス１８のＳＣｅｌｌ１６、または、より正確には、ＬＡＡ  ＳＣｅｌｌ１６と呼ばれる。
【００８４】
図１６Ｂでは、セル１４および１６は、それぞれ、別個の基地局１２−１および１２−２によってサーブされる。この点について、セル１６は、たとえば、（基地局１２−１と基地局１２−２とが、理想的でないバックホールリンクを介して接続される）デュアルコネクティビティ方式に従ってワイヤレスデバイス１８に関して利用されるＬＡＡセルであり得る。基地局１２−１および１２−２は、コアネットワーク２０（たとえば、エボルブドパケットコア（ＥＰＣ））に通信可能に接続され、いくつかの実施形態では、基地局間インターフェース（たとえば、ＬＴＥにおけるＸ２インターフェース）を介して、またはコアネットワーク２０を介してのいずれかで、互いと通信し得る。
【００８５】
図１６Ｃは、基地局１２によってサーブされるセル１４が、スタンドアロンＬＢＴセルである例を例示する。
【００８６】
図１７は、本開示のいくつかの実施形態による、基地局１２（あるいは基地局１２−１または基地局１２−２）およびワイヤレスデバイス１８の動作を例示する。例示されているように、基地局１２（またはより一般的には無線アクセスノード）は、ワイヤレスデバイス１８（ＵＥ）のためのアップリンクＬＢＴのためのＴＡと、（実施形態に依存して）随意に、アップリンク送信のためのＴＡとを決定するか、またはさもなければ取得する（ステップ１００）。いくつかの実施形態では、基地局１２は、ＬＢＴセルを提供する基地局１２（あるいは基地局１２−１または１２−２）とワイヤレスデバイス１８との間の一方向伝搬遅延（Ｔ１）を取得し、Ｔ１に基づいてアップリンクＬＢＴのためのＴＡを決定する。例示的な一実施形態では、基地局１２は、アップリンクＬＢＴのためのＴＡが２Ｔ１よりも大きくなるように、Ｔ１に基づいてアップリンクＬＢＴのためのＴＡを決定する（たとえば、図１１〜図１５Ｂ参照）。別の例示的な実施形態では、基地局１２は、アップリンクＬＢＴのためのＴＡが、２Ｔ１＋ＬＢＴセル上のアップリンクＬＢＴを実施するために必要とされる時間量よりも大きいかまたはそれに等しくなるように、Ｔ１と、ＬＢＴセル上のアップリンクＬＢＴを実施するために必要とされる時間量（たとえば、アップリンクＬＢＴ持続時間）とに基づいて、アップリンクＬＢＴのためのＴＡを決定する（たとえば、図１１〜図１５Ｂ参照）。アップリンクＬＢＴを実施するために必要とされる時間量は、（たとえば、規格によって）あらかじめ規定されているか、またはさもなければ基地局１２に知られていることがある。また別の例示的な実施形態では、ＬＢＴセル上のダウンリンクバースト中の最後のダウンリンクサブフレームが、部分ダウンリンクサブフレームに対応する、持続時間の使用される部分Ｄｕｓｅｄと、持続時間の使用されない部分Ｄｕｎｕｓｅｄとを含み、基地局１２は、アップリンクＬＢＴのためのＴＡが、２Ｔ１＋アップリンクＬＢＴプロシージャを実施するために必要とされる時間量よりも大きいかまたはそれに等しく、Ｄｕｎｕｓｅｄよりも小さいかまたはそれに等しくなるように、Ｔ１と、ＬＢＴセル上のアップリンクＬＢＴを実施するために必要とされる時間量（たとえば、アップリンクＬＢＴ持続時間）と、Ｄｕｎｕｓｅｄとに基づいて、アップリンクＬＢＴのためのＴＡを決定する。また別の例では、基地局１２は、ワイヤレスデバイス１８においてアップリンクＬＢＴ持続時間がギャップ内に入るように、ＬＢＴセル上のダウンリンクバースト中の最後から２番目のダウンリンクサブフレーム中の既知のギャップに基づいて、アップリンクＬＢＴのためのＴＡを決定する。
【００８７】
基地局１２（あるいは基地局１２−１または１２−２）は、ワイヤレスデバイス１８（たとえば、ＵＥ）に、アップリンクＬＢＴのためのＴＡの指示と、（実施形態に依存して）随意に、アップリンク送信のための別個のＴＡの指示とを送る（ステップ１０２）。こうして、基地局１２は、ワイヤレスデバイス１８によって使用されるべきアップリンクＬＢＴのためのＴＡの指示を送信する。とりわけ、アップリンク送信のための別個のＴＡは随意であるので、いくつかの実施形態では、基地局１２はアップリンクＬＢＴのためのＴＡのみを送る。こうして、この事例では、アップリンクＬＢＴのためのＴＡは、より詳細には、ＬＢＴセル上のアップリンクＬＢＴとアップリンク送信の両方のためのＴＡである。言い換えれば、アップリンクＬＢＴのためのＴＡは、ＬＢＴプロシージャがいつ開始されるべきであるかと、ＬＢＴプロシージャがチャネルがクリアであると決定した場合、後続のアップリンク送信とを指示するＴＡである。
【００８８】
上記で論じられたように、アップリンクＬＢＴのためのＴＡは、ワイヤレスデバイス１８によって実施されるＬＢＴプロシージャについてのアップリンクＬＢＴ持続時間の少なくとも一部が、
（ａ）ＬＢＴセルをサーブする／提供するそれぞれの基地局１２または１２−２によるＬＢＴセル上のダウンリンクバースト中の最後のダウンリンクサブフレームの始めに開始する、持続時間Ｔ１（すなわち、基地局１２（または１２−２）とワイヤレスデバイス１８との間の一方向伝搬遅延）の時間期間（たとえば、図１１〜図１４参照）、または
（ｂ）ＬＢＴセル上のダウンリンクバースト中の最後の部分ダウンリンクサブフレームの終端の、ワイヤレスデバイス１８における受信の後に開始する時間期間（たとえば、図１５Ａまたは図１５Ｂ参照）、または
（ｃ）ＬＢＴセル上のダウンリンクバースト中の（最後から２番目の）ダウンリンクサブフレーム中のギャップ（たとえば、図１０参照）
のいずれか内に入るように設定される。
【００８９】
いくつかの実施形態では、アップリンクＬＢＴのためのＴＡの指示を送信する基地局１２は、ＬＢＴセルをサーブする／提供する基地局１２と同じでないことがあることに留意されたい。たとえば、アップリンクＬＢＴセルのためのＴＡの指示は、基地局１２−１によって送信され得、ＬＢＴセルは、基地局１２−２によってサーブされ得る。しかしながら、他の実施形態では、アップリンクＬＢＴのためのＴＡの指示を送信する基地局１２は、ＬＢＴセルをサーブする／提供する基地局１２と同じである。たとえば、いくつかの実施形態では、基地局１２は、ワイヤレスデバイス１８のＰＣｅｌｌ１４上でアップリンクＬＢＴのためのＴＡのための指示を送信し、アップリンクＬＢＴプロシージャは、ＬＡＡ  ＳＣｅｌｌ１６に関してワイヤレスデバイス１８によって実施される。別の例として、いくつかの実施形態では、基地局１２は、ワイヤレスデバイス１８のＬＡＡ  ＳＣｅｌｌ１６上でアップリンクＬＢＴのためのＴＡのための指示を送信し、アップリンクＬＢＴプロシージャは、同じ（または場合によっては異なる）ＬＡＡ  ＳＣｅｌｌ１６に関してワイヤレスデバイス１８によって実施される。
【００９０】
ワイヤレスデバイス１８は、アップリンクＬＢＴのためのＴＡの指示と、随意に、アップリンク送信のための別個のＴＡの指示とを受信し（ステップ１０４）、アップリンクＬＢＴのための指示されたＴＡに従って今度のアップリンク送信のためのアップリンクＬＢＴを実施する（ステップ１０８）。とりわけ、いくつかの実施形態では、ＬＢＴセルをサーブする基地局１２（または基地局１２−２）は、上記で説明されたように、対応するダウンリンクバーストの終端より前にアップリンクＬＢＴを実施するための機会をワイヤレスデバイス１８に提供するために、ダウンリンクサブフレームをパンクチャし得る（ステップ１０６）。ステップ１０６は、特定の実施形態に依存して随意である。アップリンクＬＢＴが成功した（すなわち、チャネルがクリアである）と仮定すると、ワイヤレスデバイス１８は、潜在的にアップリンク送信のための別個のＴＡに従って、アップリンク送信を実施する（ステップ１１０）。
【００９１】
図１８Ａ〜図１８Ｃは、本開示のいくつかの実施形態に従って、図１７のプロセスをより詳細に例示する。具体的には、図１８Ａは、アップリンクＬＢＴのためのＴＡが、上記で説明されたように、ワイヤレスデバイス１８によって実施されるＬＢＴプロシージャについてのアップリンクＬＢＴ持続時間の少なくとも一部が、ＬＢＴセルをサーブする／提供するそれぞれの基地局１２または１２−２によるＬＢＴセル上のダウンリンクバースト中の最後のダウンリンクサブフレームの始めに開始する、持続時間Ｔ１（すなわち、基地局１２（または１２−２）とワイヤレスデバイス１８との間の一方向伝搬遅延）の時間期間内に入るように設定される実施形態に従って、図１７のプロセスをより詳細に例示する。
【００９２】
図１８Ａに例示されているように、この実施形態では、基地局１２（またはより一般的には無線アクセスノード）は、ワイヤレスデバイス１８のためのアップリンクＬＢＴのためのＴＡと、（実施形態に依存して）随意に、アップリンク送信のためのＴＡとを決定する（ステップ１００）。この例では、基地局１２は、上記で説明されたように、Ｔ１と、随意に、ワイヤレスデバイス１８においてアップリンクＬＢＴを実施するために必要とされる時間量（たとえば、アップリンクＬＢＴ持続時間）とに基づいて、アップリンクＬＢＴのためのＴＡを決定する。基地局１２（あるいは基地局１２−１または１２−２）は、ワイヤレスデバイス１８（たとえば、ＵＥ）に、アップリンクＬＢＴのためのＴＡの指示と、（実施形態に依存して）随意に、アップリンク送信のための別個のＴＡの指示とを送る（ステップ１０２Ａ）。こうして、基地局１２は、ワイヤレスデバイス１８によって使用されるべきアップリンクＬＢＴのためのＴＡの指示を送信する。この実施形態では、アップリンクＬＢＴのためのＴＡは、上記で説明されたように、アップリンクＬＢＴプロシージャが、ＬＢＴセルをサーブする／提供するそれぞれの基地局１２または１２−２によるＬＢＴセル上のダウンリンクバースト中の最後のダウンリンクサブフレームの始めに開始する、持続時間Ｔ１（すなわち、基地局１２（または１２−２）とワイヤレスデバイス１８との間の一方向伝搬遅延）の時間期間内に入るようなものである。この時点から、プロシージャは、図１７に関して上記で説明されたように進む。したがって、詳細は繰り返されない。
【００９３】
図１８Ｂは、アップリンクＬＢＴのためのＴＡが、上記で説明されたように、ワイヤレスデバイス１８によって実施されるＬＢＴプロシージャについてのアップリンクＬＢＴ持続時間の少なくとも一部（またはすべて）が、ＬＢＴセル上のダウンリンクバースト中の最後の部分ダウンリンクサブフレームの終端の、ワイヤレスデバイス１８における受信の後に開始する、時間期間内に入るように設定される実施形態に従って、図１７のプロセスをより詳細に例示する。例示されているように、この実施形態では、基地局１２（またはより一般的には無線アクセスノード）は、ワイヤレスデバイス１８のためのアップリンクＬＢＴのためのＴＡと、（実施形態に依存して）随意に、アップリンク送信のためのＴＡとを決定する（ステップ１００）。この例では、基地局１２は、上記で説明されたように、Ｔ１と、ＬＢＴセル上のダウンリンクバースト中の最後の部分サブフレームに関する知識とに基づいて、アップリンクＬＢＴのためのＴＡを決定する。より詳細には、一例では、基地局１２は、アップリンクＬＢＴのためのＴＡが、２Ｔ１＋アップリンクＬＢＴプロシージャを実施するために必要とされる時間量よりも大きいかまたはそれに等しく、Ｄｕｎｕｓｅｄよりも小さいかまたはそれに等しくなるように、Ｔ１と、ＬＢＴセル上のアップリンクＬＢＴを実施するために必要とされる時間量（たとえば、アップリンクＬＢＴ持続時間）と、Ｄｕｎｕｓｅｄとに基づいて、アップリンクＬＢＴのためのＴＡを決定する。基地局１２（またはより一般的には無線アクセスノード）は、ワイヤレスデバイス１８（たとえば、ＵＥ）に、アップリンクＬＢＴのためのＴＡの指示と、（実施形態に依存して）随意に、アップリンク送信のための別個のＴＡの指示とを送る（ステップ１０２Ｂ）。こうして、基地局１２は、ワイヤレスデバイス１８によって使用されるべきアップリンクＬＢＴのためのＴＡの指示を送信する。この実施形態では、アップリンクＬＢＴのためのＴＡは、上記で説明されたように、ワイヤレスデバイス１８によって実施されるＬＢＴプロシージャについてのアップリンクＬＢＴ持続時間の少なくとも一部（またはすべて）が、ＬＢＴセル上のダウンリンクバースト中の最後の部分ダウンリンクサブフレームの終端の、ワイヤレスデバイス１８における受信の後に開始する、時間期間内に入るように設定される。この時点から、プロシージャは、図１７に関して上記で説明されたように進む。したがって、詳細は繰り返されない。しかしながら、この例では、パンクチャすること（ステップ１０６）は実施されないことに留意されたい。
【００９４】
図１８Ｃは、アップリンクＬＢＴのためのＴＡが、上記で説明されたように、ワイヤレスデバイス１８によって実施されるＬＢＴプロシージャについてのアップリンクＬＢＴ持続時間の少なくとも一部（またはすべて）が、ダウンリンクバースト中の（たとえば、ダウンリンクバースト中の最後から２番目のダウンリンクサブフレーム中の）ギャップ内に入るように設定される実施形態に従って、図１７のプロセスをより詳細に例示する。例示されているように、この実施形態では、基地局１２（またはより一般的には無線アクセスノード）は、ワイヤレスデバイス１８のためのアップリンクＬＢＴのためのＴＡと、（実施形態に依存して）随意に、アップリンク送信のためのＴＡとを決定する（ステップ１００）。この例では、基地局１２は、上記で説明されたように、ワイヤレスデバイス１８においてアップリンクＬＢＴプロシージャがギャップ中に実施されるように、Ｔ１と、ＬＢＴセル上のダウンリンクバースト中の最後から２番目のダウンリンクサブフレーム中のギャップに関する知識とに基づいて、アップリンクＬＢＴのためのＴＡを決定する。基地局１２（またはより一般的には無線アクセスノード）は、ワイヤレスデバイス１８（たとえば、ＵＥ）に、アップリンクＬＢＴのためのＴＡの指示と、（実施形態に依存して）随意に、アップリンク送信のための別個のＴＡの指示とを送る（ステップ１０２Ｃ）。こうして、基地局１２は、ワイヤレスデバイス１８によって使用されるべきアップリンクＬＢＴのためのＴＡの指示を送信する。この実施形態では、アップリンクＬＢＴのためのＴＡは、上記で説明されたように、ワイヤレスデバイス１８によって実施されるＬＢＴプロシージャについてのアップリンクＬＢＴ持続時間の少なくとも一部（またはすべて）が、ダウンリンクバースト中の（たとえば、ダウンリンクバースト中の最後から２番目のダウンリンクサブフレーム中の）ギャップ内に入るように設定される。この時点から、プロシージャは、図１７に関して上記で説明されたように進む。したがって、詳細は繰り返されない。しかしながら、この例では、パンクチャすること（ステップ１０６）は実施されることに留意されたい。
【００９５】
図１９は、本開示のいくつかの実施形態による、基地局１２の概略図である。この議論は、基地局１２−１と基地局１２−２とに等しく適用可能であることに留意されたい。基地局１２は、ＬＴＥ基地局（たとえば、ｅＮＢまたはＰＣｅｌｌ基地局）、または（ＬＴＥにおいてＵＥであり得る）ワイヤレスデバイス１８とワイヤレスに通信することができる別のタイプの基地局（たとえば、未ライセンススペクトルにおいて動作するＳＣｅｌｌ無線局、またはスタンドアロンＬＢＴセルのための基地局）であり得る。基地局１２は、トランシーバ２２と、１つまたは複数のプロセッサ２４（たとえば、１つまたは複数の中央処理ユニット（ＣＰＵ）、１つまたは複数の特定用途向け集積回路（ＡＳＩＣ）、１つまたは複数のフィールドプログラマブルゲートアレイ（ＦＰＧＡ）など）と、メモリ２６と、ネットワークインターフェース２８とを含む。１つまたは複数の送信機と１つまたは複数の受信機とを含み得るトランシーバ２２は、基地局１２がワイヤレス信号を送信および受信することを可能にする。（１つまたは複数の）プロセッサ２４は、たとえば、トランシーバ２２を介してワイヤレスに受信された信号に基づいて、メモリ２６に記憶された命令を実行することができる。具体的には、いくつかの実施形態では、本明細書で説明される基地局１２の機能は、メモリ２６に記憶され（１つまたは複数の）プロセッサ２４によって実行されるソフトウェアで実装される。ネットワークインターフェース２８は、基地局１２が、ワイヤードリンクから信号を送信および受信することなど、コアネットワークと対話することを可能にする。基地局１２は、１つまたは複数のワイヤレスデバイス１８とワイヤレスに通信することができる。
【００９６】
いくつかの実施形態では、少なくとも１つのプロセッサによって実行されるとき、本明細書で説明される実施形態のうちのいずれか１つに従って、少なくとも１つのプロセッサに基地局１２（あるいは基地局１２−１または１２−２）の機能を行わせる命令を含むコンピュータプログラムが提供される。いくつかの実施形態では、上述のコンピュータプログラム製品を含んでいるキャリアが提供される。キャリアは、電子信号、光信号、無線信号、またはコンピュータ可読記憶媒体（たとえば、メモリ２６など、非一時的コンピュータ可読媒体）のうちの１つである。
【００９７】
図２０は、本開示のいくつかの他の実施形態による、基地局１２を例示する。この議論は、基地局１２−１と基地局１２−２とに等しく適用可能であることに留意されたい。基地局１２は、１つまたは複数のモジュール３０を含み、その各々はソフトウェアで実装される。（１つまたは複数の）モジュール３０は、本明細書で説明される実施形態のいずれかによる、基地局１２の機能を提供するように動作する。たとえば、（１つまたは複数の）モジュール３０は、いくつかの実施形態では、上記で説明されたように、ワイヤレスデバイス１８に、（たとえば、示されていない、基地局１２の関連付けられたトランシーバを介して）アップリンクＬＢＴのためのＴＡの指示を送るように動作可能である、ＴＡ指示モジュールを含む。加えて、いくつかの実施形態では、ＴＡ指示モジュールは、上記で説明されたように、ワイヤレスデバイス１８にアップリンク送信のための別個のＴＡの指示を送るようにさらに動作可能である。いくつかの実施形態では、（１つまたは複数の）モジュール３０は、アップリンクＬＢＴのためのＴＡに従ってワイヤレスデバイス１８のためのアップリンクＬＢＴ機会を提供するために、ダウンリンクサブフレームをパンクチャするように動作可能である、パンクチャリングモジュールをも含む。
【００９８】
図２１は、本開示のいくつかの実施形態による、ワイヤレスデバイス１８の概略図である。ワイヤレスデバイス１８は、ライセンス済みスペクトル（たとえば、本明細書で説明される例示的な実施形態におけるライセンス済みＬＴＥスペクトル）、未ライセンススペクトル、またはその両方からのリソースを使用してワイヤレス信号を送信および受信するように設定される。ワイヤレスデバイス１８は、１つまたは複数の送信機および１つまたは複数の受信機を含むトランシーバ３２と、１つまたは複数のプロセッサ３４（たとえば、１つまたは複数のＣＰＵ、１つまたは複数のＡＳＩＣ、１つまたは複数のＦＰＧＡなど）と、メモリ３６とを含む。トランシーバ３２は、ワイヤレスデバイス１８がワイヤレス信号を送信および受信することを可能にする。（１つまたは複数の）プロセッサ３４は、たとえば、トランシーバ３２を介してワイヤレスに受信された信号に基づいて、メモリ３６に記憶された命令を実行することができる。具体的には、いくつかの実施形態では、本明細書で説明されるワイヤレスデバイス１８の機能は、メモリ３６に記憶され（１つまたは複数の）プロセッサ３４によって実行されるソフトウェアで実装される。
【００９９】
いくつかの実施形態では、少なくとも１つのプロセッサによって実行されるとき、本明細書で説明される実施形態のうちのいずれか１つによる、少なくとも１つのプロセッサにワイヤレスデバイス１８の機能を行わせる命令を含むコンピュータプログラムが提供される。いくつかの実施形態では、上述のコンピュータプログラム製品を含んでいるキャリアが提供される。キャリアは、電子信号、光信号、無線信号、またはコンピュータ可読記憶媒体（たとえば、メモリ３６など、非一時的コンピュータ可読媒体）のうちの１つである。
【０１００】
図２２は、本開示のいくつかの他の実施形態による、ワイヤレスデバイス１８を例示する。ワイヤレスデバイス１８は、１つまたは複数のモジュール３８を含み、その各々はソフトウェアで実装される。（１つまたは複数の）モジュール３８は、本明細書で説明される実施形態のいずれかによる、ワイヤレスデバイス１８の機能を提供するように動作する。たとえば、いくつかの実施形態では、（１つまたは複数の）モジュール３８は、基地局１２（あるいは基地局１２−１または１２−２）から（１つまたは複数の）ＴＡ指示を受信するように動作可能な受信モジュールと、アップリンクＬＢＴのための指示されたＴＡに従ってＬＢＴセル上のアップリンクＬＢＴを実施するように動作可能なアップリンクＬＢＴモジュールと、ワイヤレスデバイス１８の関連付けられたトランシーバ（図示せず）を介した、成功したＬＢＴを前提とする、ＬＢＴセル上のアップリンク送信を実施するように動作可能なアップリンク送信モジュールとを含む。
【０１０１】
様々な実施形態が本明細書で説明されるが、いくつかの例示的な実施形態は以下の通りである。
【０１０２】
実施形態１：セルラー通信ネットワークにおける無線アクセスノードの動作の方法であって、
・ワイヤレスデバイスに、ＬＢＴセルのためのアップリンクＬＢＴのためのＴＡの指示を送ること（１００）
を備える、方法。
【０１０３】
実施形態２：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延内に入るように設定される、実施形態１に記載の方法。
【０１０４】
実施形態３：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセル上のダウンリンクバースト中の最後のダウンリンクサブフレームの始めに開始する、ＬＢＴセルを提供する無線アクセスノードとワイヤレスデバイスとの間の一方向伝搬遅延（Ｔ１）に等しい持続時間を有する時間期間内に入るように設定される、実施形態１または２に記載の方法。
【０１０５】
実施形態４：アップリンクＬＢＴのためのＴＡは、Ｄ＋Ｔ１に等しく、Ｄは、ＬＢＴセル上のダウンリンクバースト中の最後のダウンリンクサブフレームの持続時間である、実施形態３に記載の方法。
【０１０６】
実施形態５：ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされない、実施形態４に記載の方法。
【０１０７】
実施形態６：ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされ、ＵＬ  ＬＢＴのためのＴＡは、ワイヤレスデバイスが、ワイヤレスデバイスにおけるダウンリンクバーストの受信が完了するまで、成功したアップリンクＬＢＴを前提とする、アップリンク送信を始めないようなものである、実施形態４に記載の方法。
【０１０８】
実施形態７：
・ＬＢＴセルのためのアップリンクＬＢＴのためのＴＡの指示を送ること（１００）は、第１のキャリア上のＬＢＴセルのためのアップリンクＬＢＴのためのＴＡの指示を送ることを備え、
・ＬＢＴセルは、第１のキャリアとは異なる第２のキャリア上にある、
実施形態３に記載の方法。
【０１０９】
実施形態８：アップリンクＬＢＴのためのＴＡは、Ｄ＋Ｔ１に等しく、Ｄは、ＬＢＴセル上のダウンリンクバースト中の最後のダウンリンクサブフレームの持続時間である、実施形態７に記載の方法。
【０１１０】
実施形態９：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセル上のダウンリンクバースト中の最後の部分ダウンリンクサブフレームのワイヤレスデバイスにおける受信の後に開始する、持続時間Ｔ１（すなわち、ＬＢＴセルを提供する無線アクセスノードとワイヤレスデバイスとの間の一方向伝搬遅延）の時間期間内に入るように設定される、実施形態１または２に記載の方法。
【０１１１】
実施形態１０：ワイヤレスデバイスに、ＬＢＴセル上のアップリンク送信のための別個のＴＡの指示を送ること（１００）をさらに備える、実施形態１〜９のいずれかに記載の方法。
【０１１２】
実施形態１１：セルラー通信ネットワークのための無線アクセスノードであって、実施形態１〜１０に記載の方法のいずれかに従って動作するように適応された、無線アクセスノード。
【０１１３】
実施形態１２：セルラー通信ネットワークにおけるワイヤレスデバイスの動作の方法であって、
・無線アクセスノードから、ＬＢＴセルのためのアップリンクＬＢＴのためのＴＡの指示を受信すること（１０４）と、
・アップリンクＬＢＴのためのＴＡに従ってＬＢＴセルのためのアップリンクＬＢＴプロシージャを実施すること（１０８）と
を備える、方法。
【０１１４】
実施形態１３：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセルを提供する無線アクセスノードとワイヤレスデバイスとの間の一方向伝搬遅延内に入るように設定される、実施形態１２に記載の方法。
【０１１５】
実施形態１４：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセル上のダウンリンクバースト中の最後のダウンリンクサブフレームの始めに開始する、ＬＢＴセルを提供する無線アクセスノードとワイヤレスデバイスとの間の一方向伝搬遅延（Ｔ１）に等しい持続時間を有する時間期間内に入るようなものである、実施形態１２または１３に記載の方法。
【０１１６】
実施形態１５：アップリンクＬＢＴのためのＴＡは、Ｄ＋Ｔ１に等しく、Ｄは、ＬＢＴセル上のダウンリンクバースト中の最後のダウンリンクサブフレームの持続時間である、実施形態１４に記載の方法。
【０１１７】
実施形態１６：ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされない、実施形態１５に記載の方法。
【０１１８】
実施形態１７：ダウンリンクバースト中の最後のダウンリンクサブフレームは、ワイヤレスデバイスによる所望のアップリンク送信の直前の最後のダウンリンクサブフレームであり、ワイヤレスデバイスは、最後のダウンリンクサブフレームにおけるデータ受信についてスケジュールされ、アップリンクＬＢＴのためのＴＡは、ワイヤレスデバイスが、ワイヤレスデバイスにおけるダウンリンクバーストの受信が完了するまで、成功したＵＬ  ＬＢＴを前提とする、アップリンク送信を始めないようなものである、実施形態１５に記載の方法。
【０１１９】
実施形態１８：
・ＬＢＴセルのためのアップリンクＬＢＴのためのＴＡの指示を受信すること（１０４）は、第１のキャリア上のＬＢＴセルのためのアップリンクＬＢＴのためのＴＡの指示を受信することを備え、
・ＬＢＴセルは、第１のキャリアとは異なる第２のキャリア上にある、
実施形態１４に記載の方法。
【０１２０】
実施形態１９：アップリンクＬＢＴのためのＴＡは、Ｄ＋Ｔ１に等しく、Ｄは、ＬＢＴセル上のダウンリンクバースト中の最後のダウンリンクサブフレームの持続時間である、実施形態１８に記載の方法。
【０１２１】
実施形態２０：アップリンクＬＢＴのためのＴＡは、ワイヤレスデバイスによって実施されるアップリンクＬＢＴプロシージャについてのアップリンクＬＢＴ持続時間の少なくとも一部が、ＬＢＴセル上のダウンリンクバースト中の最後の部分ダウンリンクサブフレームのワイヤレスデバイスにおける受信の後に開始する、持続時間Ｔ１（すなわち、ＬＢＴセルを提供する無線アクセスノードとワイヤレスデバイスとの間の一方向伝搬遅延）の時間期間内に入るように設定される、実施形態１２または１３に記載の方法。
【０１２２】
実施形態２１：無線アクセスノードから、ＬＢＴセル上のアップリンク送信のための別個のＴＡの指示を受信すること（１０４）をさらに備える、実施形態１２〜２０のいずれかに記載の方法。
【０１２３】
実施形態２２：セルラー通信ネットワークにおいて動作するように有効にされたワイヤレスデバイスであって、実施形態１２〜２１に記載の方法のいずれかに従って動作するように適応された、ワイヤレスデバイス。
【０１２４】
本開示全体にわたって以下の頭字語が使用される。
・μｓ  マイクロ秒
・３ＧＰＰ  第３世代パートナーシッププロジェクト
・５Ｇ  第５世代
・ＡＣＫ  肯定応答
・ＡＳＩＣ  特定用途向け集積回路
・ＣＡ  キャリアアグリゲーション
・ＣＣ  コンポーネントキャリア
・ＣＣＡ  クリアチャネルアセスメント
・ＣＦＩ  制御フォーマットインジケータ
・ＣＰＵ  中央処理ユニット
・ＣＲＣ  サイクリック冗長検査
・Ｃ−ＲＮＴＩ  セル無線ネットワーク一時識別子
・ＣＲＳ  セル固有参照シンボル
・ＣＳＭＡ／ＣＡ  キャリア検知多重アクセス／衝突回避
・ＣＷ  競合ウィンドウ
・ＤＣＩ  ダウンリンク制御情報
・ＤＦＴ  離散フーリエ変換
・ＤＩＦＳ  分散フレーム間スペース
・ＤＭＲＳ  復調用参照信号
・ＤＲＳ  専用参照信号
・ｅＮＢ  拡張またはエボルブドノードＢ
・ＥＰＣ  エボルブドパケットコア
・ＥＰＤＣＣＨ  拡張物理ダウンリンク制御チャネル
・ＦＤＤ  周波数分割複信
・ＦＤＭＡ  周波数分割多元接続
・ＦＰＧＡ  フィールドプログラマブルゲートアレイ
・ＧＨｚ  ギガヘルツ
・ＨＡＲＱ  ハイブリッド自動再送要求
・ｋｍ  キロメートル
・ＬＡＡ  ライセンス支援型アクセス
・ＬＢＴ  リッスンビフォアトーク
・ＬＴＥ  Ｌｏｎｇ  Ｔｅｒｍ  Ｅｖｏｌｕｔｉｏｎ
・ＬＴＥ−Ｕ  未ライセンススペクトルにおけるＬｏｎｇ  Ｔｅｒｍ  Ｅｖｏｌｕｔｉｏｎ
・ＭＨｚ  メガヘルツ
・ｍｓ  ミリ秒
・ＭＴＣ  マシンタイプ通信
・ＮＡＣＫ  否定応答
・ＯＦＤＭ  直交周波数分割多重
・ＰＣｅｌｌ  １次セル
・ＰＤＣＣＨ  物理ダウンリンク制御チャネル
・ＰＵＣＣＨ  物理アップリンク制御チャネル
・ＰＵＳＣＨ  物理アップリンク共有チャネル
・Ｒｅｌ  リリース
・ＲＦ  無線周波数
・ＳＣｅｌｌ  ２次セル
・ＳＣ−ＦＤＭＡ  シングルキャリア周波数分割多元接続
・ＳＲＳ  サウンディング参照信号
・ＴＡ  タイミングアドバンス
・ＵＥ  ユーザ機器
・ＷＬＡＮ  ワイヤレスローカルエリアネットワーク
【０１２５】
当業者は、本開示の実施形態に対する改善および変更を認識されよう。すべてのそのような改善および変更は、本明細書で開示される概念の範囲内で考慮される。
【図１】
0006474534.tif 000002
【図２】
0006474534.tif 000003
【図３】
0006474534.tif 000004
【図４】
0006474534.tif 000005
【図５】
0006474534.tif 000006
【図６】
0006474534.tif 000007
【図７】
0006474534.tif 000008
【図８】
0006474534.tif 000009
【図９】
0006474534.tif 000010
【図１０】
0006474534.tif 000011
【図１１】
0006474534.tif 000012
【図１２】
0006474534.tif 000013
【図１３】
0006474534.tif 000014
【図１４】
0006474534.tif 000015
【図１５Ａ】
0006474534.tif 000016
【図１５Ｂ】
0006474534.tif 000017
【図１６Ａ】
0006474534.tif 000018
【図１６Ｂ】
0006474534.tif 000019
【図１６Ｃ】
0006474534.tif 000020
【図１７】
0006474534.tif 000021
【図１８Ａ】
0006474534.tif 000022
【図１８Ｂ】
0006474534.tif 000023
【図１８Ｃ】
0006474534.tif 000024
【図１９】
0006474534.tif 000025
【図２０】
0006474534.tif 000026
【図２１】
0006474534.tif 000027
【図２２】
0006474534.tif 000028